(57)【要約】  ワイヤレス通信システム内のマルチキャスト・グループ・メンバーの位置追跡に関する装置および方法が開示される。アクセス端末は、アクセス端末の位置と少なくとも１つのマルチキャスト・グループとを示すグループ・メンバー報告を、マルチキャスト・グループに関連するマルチキャスト・セッションが開始される前にアクセス・ネットワークに送信し、アクセス端末の位置更新をアクセス・ネットワークに報告する方法である位置更新ルールを決定し、決定された位置更新ルールに基づいてアクセス端末の位置更新をアクセス・ネットワークに報告する。
2011501894.tif 000002
【特許請求の範囲】
【請求項１】
マルチキャストの方法であって、
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末からアクセス・ネットワークに送信することと、
前記アクセス端末の位置更新を前記アクセス・ネットワークに報告する方法である位置更新ルールを決定することと、
前記決定された位置更新ルールに基づいて前記アクセス端末の位置更新を前記アクセス・ネットワークに報告することと
を備える方法。
【請求項２】
前記送信するステップが、前記アクセス端末が電源投入された後に実行される、請求項１に記載の方法。
【請求項３】
前記送信するステップが、前記アクセス端末のハンドオフの後に実行される、請求項１に記載の方法。
【請求項４】
前記決定するステップが、前記アクセス・ネットワークから受信された命令に基づいて前記位置更新ルールを決定する、請求項１に記載の方法。
【請求項５】
前記決定するステップが、前記アクセス端末に記憶されたデフォルト位置更新ルールに基づいて前記位置更新ルールを決定する、請求項１に記載の方法。
【請求項６】
前記決定するステップが、前記アクセス端末のユーザによる手入力に基づいて前記位置更新ルールを決定する、請求項１に記載の方法。
【請求項７】
前記位置が、セクタ識別子、基地局識別子、位置登録エリア（ＬＡ）識別子、およびマルチキャスト・エリア（ＭＡ）識別子のうちの１つによって示される、請求項１に記載の方法。
【請求項８】
前記少なくとも１つのマルチキャスト・グループが、ブロードキャストマルチキャストサービス（ＢＣＭＣＳ）フロー識別子、およびマルチキャスト・インターネットプロトコル（ＩＰ）アドレスとポート番号との対のうちの１つによって示される、請求項１に記載の方法。
【請求項９】
前記送信するステップが、前記アクセス端末が少なくとも１つのマルチキャスト・グループに加入することを要求するために前記グループ・メンバー報告を送信する、請求項１に記載の方法。
【請求項１０】
前記送信するステップが、前記アクセス端末が前記少なくとも１つのマルチキャスト・グループから離脱することを要求するために前記グループ・メンバー報告を送信する、請求項１に記載の方法。
【請求項１１】
前記位置更新ルールが、時間ベースおよび位置ベースのうちの少なくとも１つである、請求項１に記載の方法。
【請求項１２】
前記報告するステップが、
前記アクセス端末において所与の時間期間を有するタイマを開始することと、
前記アクセス端末の現在位置を示す位置更新を前記アクセス・ネットワークに、前記タイマの所与の時間期間ごとに１回送信することと
を含む、請求項１１に記載の方法。
【請求項１３】
前記位置更新ルールが距離ベース登録（ＤＢＲ）プロトコルに基づく、請求項１１に記載の方法。
【請求項１４】
前記報告するステップが、
前記ＤＢＲプロトコルが、前記アクセス端末が所与の距離を通過したことを示した後に、前記アクセス端末の現在位置を示す位置更新を前記アクセス・ネットワークに送信すること
を含む、請求項１３に記載の方法。
【請求項１５】
前記アクセス端末用のグループ・メンバーシップ情報を変更すべきかどうかを判断することと、
前記判断するステップが前記アクセス端末用のグループ・メンバーシップ情報を変更することを決定した場合、補足グループ・メンバー報告を前記アクセス端末から前記アクセス・ネットワークに送信することと
をさらに備える、請求項１に記載の方法。
【請求項１６】
前記補足グループ・メンバー報告がさらに、前記アクセス端末の現在位置を前記アクセス・ネットワークに示す、請求項１５に記載の方法。
【請求項１７】
前記アクセス端末および前記グループ・メンバー報告が送信されるアクセス・ネットワークがそれぞれ、前記所与のマルチキャスト・グループと同じＢＣＭＣＳＦｌｏｗＩＤで事前設定される、請求項１に記載の方法。
【請求項１８】
前記事前設定されたＢＣＭＣＳＦｌｏｗＩＤが、前記所与のマルチキャスト・グループ用のマルチキャストＩＰアドレスとポート指定番号とに基づいて決定される、請求項１７に記載の方法。
【請求項１９】
マルチキャストの方法であって、
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末から受信することと、
各々が前記アクセス端末の位置を示す少なくとも１つの位置更新報告を前記アクセス端末から受信することと
を備える方法。
【請求項２０】
前記アクセス端末の位置更新を前記アクセス・ネットワークに報告する方法である位置更新ルールを決定することと、
前記位置更新ルールを前記アクセス端末に送信することと
をさらに備える、請求項１９に記載の方法。
【請求項２１】
前記少なくとも１つの位置更新報告が、前記送信された位置更新ルールに従って前記アクセス端末から受信される、請求項２０に記載の方法。
【請求項２２】
前記決定される位置更新ルールが、前記アクセス端末から前記グループ・メンバー報告を受信した後に決定される、請求項２０に記載の方法。
【請求項２３】
前記決定される位置更新ルールが、前記アクセス端末から補足グループ・メンバー報告を受信した後に決定される、請求項２０に記載の方法。
【請求項２４】
前記決定される位置更新ルールが、前記アクセス端末において決定されたデフォルト位置更新ルールに関連する速度とは異なる速度で位置更新報告を送信するように前記アクセス端末を促すように構成される、請求項２０に記載の方法。
【請求項２５】
前記グループ・メンバー報告が、前記アクセス端末が前記少なくとも１つのマルチキャスト・グループに追加されることを要求する、請求項１９に記載の方法。
【請求項２６】
前記グループ・メンバー報告が、前記アクセス端末が前記少なくとも１つのマルチキャスト・グループから離脱されることを要求する、請求項１９に記載の方法。
【請求項２７】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループ・メンバーリストを、アクセス・ネットワークにおいて形成することと、
前記アクセス端末からの（ｉ）前記受信された少なくとも１つの位置更新報告または（ｉｉ）１つまたは複数の補足グループ・メンバー報告に基づいて前記グループ・メンバーリストを更新することと
をさらに備える、請求項１９に記載の方法。
【請求項２８】
前記グループ・メンバー報告が、前記アクセス端末が前記少なくとも１つのマルチキャスト・グループに追加されることを要求し、前記更新するステップが、前記アクセス端末を前記要求された少なくとも１つのマルチキャスト・グループに登録するために前記グループ・メンバーリストを更新する、請求項２７に記載の方法。
【請求項２９】
前記グループ・メンバー報告が、前記アクセス端末が前記少なくとも１つのマルチキャスト・グループから離脱されることを要求し、前記更新するステップが、前記少なくとも１つのマルチキャスト・グループへの前記アクセス端末の登録を取り消すために前記グループ・メンバーリストを更新する、請求項２７に記載の方法。
【請求項３０】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループ・メンバーリストを、アクセス・ネットワークにおいて更新すること
をさらに備える、請求項１９に記載の方法。
【請求項３１】
前記グループ・メンバー報告が、前記アクセス端末が前記少なくとも１つのマルチキャスト・グループに追加されることを要求し、前記更新するステップが、前記アクセス端末を前記要求された少なくとも１つのマルチキャスト・グループに登録するために前記グループ・メンバーリストを更新する、請求項３０に記載の方法。
【請求項３２】
前記グループ・メンバー報告が、前記アクセス端末が前記少なくとも１つのマルチキャスト・グループから離脱されることを要求し、前記更新するステップが、前記少なくとも１つのマルチキャスト・グループへの前記アクセス端末の登録を取り消すために前記グループ・メンバーリストを更新する、請求項３０に記載の方法。
【請求項３３】
前記アクセス端末および前記グループ・メンバー報告を受信するアクセス・ネットワークがそれぞれ、前記所与のマルチキャスト・グループと同じＢＣＭＣＳＦｌｏｗＩＤで事前設定される、請求項１９に記載の方法。
【請求項３４】
前記事前設定されたＢＣＭＣＳＦｌｏｗＩＤが、前記所与のマルチキャスト・グループ用のマルチキャストＩＰアドレスとポート指定番号とに基づいて決定される、請求項３３に記載の方法。
【請求項３５】
マルチキャストの方法であって、
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループ・メンバーリストを、アクセス・ネットワークにおいて形成することと、
少なくとも１つのアクセス端末から送信された少なくとも１つの報告に基づいて前記グループ・メンバーリストを更新することと
を備える方法。
【請求項３６】
前記少なくとも１つのアクセス端末が、前記記載されたアクセス端末のうちの１つである、請求項３５に記載の方法。
【請求項３７】
前記少なくとも１つの報告が、位置更新報告およびグループ・メンバー報告のうちの少なくとも１つを含む、請求項３６に記載の方法。
【請求項３８】
前記少なくとも１つのアクセス端末が、前記記載されたアクセス端末のうちの１つではない、請求項３５に記載の方法。
【請求項３９】
前記少なくとも１つの報告が、少なくとも１つの位置更新報告を含む、請求項３８に記載の方法。
【請求項４０】
前記少なくとも１つの報告が、前記少なくとも１つのアクセス端末が所与のマルチキャスト・グループに追加されることを要求するかどうかを判断することと、
前記判断するステップに基づいて、前記少なくとも１つの報告によって示された位置と前記少なくとも１つの報告が送信された時間とともに含まれる、前記所与のマルチキャスト・グループに関連する前記グループ・メンバーリストに前記少なくとも１つのアクセス端末を記載することによって、前記少なくとも１つのアクセス端末を前記所与のマルチキャスト・グループに追加することと
をさらに備える、請求項３５に記載の方法。
【請求項４１】
前記少なくとも１つの報告が、前記少なくとも１つのアクセス端末が所与のマルチキャスト・グループから離脱されることを要求するかどうかを判断することと、
前記判断するステップに基づいて、前記所与のマルチキャスト・グループに関連する前記グループ・メンバーリストから前記少なくとも１つのアクセス端末の記載を削除することによって、前記少なくとも１つのアクセス端末を前記所与のマルチキャスト・グループから離脱させることと
をさらに備える、請求項３５に記載の方法。
【請求項４２】
所与のマルチキャスト・グループ用のマルチキャスト・セッションを開始することと、
前記グループ・メンバーリストに基づいてセクタの初期クラスタをポピュレートすることと、
セクタの前記初期クラスタ内の前記マルチキャスト・セッションをサポートすることと
をさらに備える、請求項３５に記載の方法。
【請求項４３】
セクタの前記初期クラスタが、前記グループ・メンバーリスト内の前記所与のマルチキャスト・グループに属する１つまたは複数の記載されたアクセス端末を含むセクタである、１つまたは複数のターゲットセクタと、前記所与のマルチキャスト・グループ用の前記グループ・メンバーリストの前記記載されたアクセス端末に関連して記憶された前記位置に基づいて決定された前記ターゲットセクタの位置とを含む、請求項４２に記載の方法。
【請求項４４】
セクタの前記初期クラスタが１つまたは複数のサポートセクタをさらに含み、各サポートセクタがターゲットセクタではなく、少なくとも１つのターゲットセクタに対する近接度基準を満たす、請求項４３に記載の方法。
【請求項４５】
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末からアクセス・ネットワークに送信するように構成された論理と、
前記アクセス端末の位置更新を前記アクセス・ネットワークに報告する方法である位置更新ルールを決定するように構成された論理と、
前記決定された位置更新ルールに基づいて前記アクセス端末の位置更新を前記アクセス・ネットワークに報告するように構成された論理と
を備えるワイヤレス通信システム。
【請求項４６】
送信するように構成された前記論理が、前記アクセス端末が前記少なくとも１つのマルチキャスト・グループに加入することを要求するために前記グループ・メンバー報告を送信する、請求項４５に記載のワイヤレス通信システム。
【請求項４７】
送信するように構成された前記論理が、前記アクセス端末が前記少なくとも１つのマルチキャスト・グループから離脱することを要求するために前記グループ・メンバー報告を送信する、請求項４５に記載のワイヤレス通信システム。
【請求項４８】
前記位置更新ルールが、時間ベースおよび位置ベースのうちの少なくとも１つである、請求項４５に記載のワイヤレス通信システム。
【請求項４９】
報告するように構成された前記論理が、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項４８に記載のワイヤレス通信システム。
【請求項５０】
前記アクセス端末用のグループ・メンバーシップ情報を変更すべきかどうかを判断するように構成された論理と、
判断するように構成された前記論理が前記アクセス端末用のグループ・メンバーシップ情報を変更することを決定した場合、補足グループ・メンバー報告を前記アクセス端末から前記アクセス・ネットワークに送信するように構成された論理と
をさらに備える、請求項４５に記載のワイヤレス通信システム。
【請求項５１】
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末から受信するように構成された論理と、
各々が前記アクセス端末の位置を示す少なくとも１つの位置更新報告を前記アクセス端末から受信するように構成された論理と
を備えるワイヤレス通信システム。
【請求項５２】
前記アクセス端末の位置更新を前記アクセス・ネットワークに報告する方法である位置更新ルールを決定するように構成された論理と、
前記位置更新ルールを前記アクセス端末に送信するように構成された論理と
をさらに備える、請求項５１に記載のワイヤレス通信システム。
【請求項５３】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループ・メンバーリストを、アクセス・ネットワークにおいて形成するように構成された論理と、
前記アクセス端末からの（ｉ）前記受信された少なくとも１つの位置更新報告または（ｉｉ）１つまたは複数の補足グループ・メンバー報告に基づいて前記グループ・メンバーリストを更新するように構成された論理と
をさらに備える、請求項５１に記載のワイヤレス通信システム。
【請求項５４】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループ・メンバーリストを、アクセス・ネットワークにおいて更新するように構成された論理
をさらに備える、請求項５１に記載のワイヤレス通信システム。
【請求項５５】
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループ・メンバーリストを、アクセス・ネットワークにおいて形成するように構成された論理と、
少なくとも１つのアクセス端末から送信された少なくとも１つの報告に基づいて前記グループ・メンバーリストを更新するように構成された論理と
を備えるワイヤレス通信システム。
【請求項５６】
前記少なくとも１つの報告が、前記少なくとも１つのアクセス端末が所与のマルチキャスト・グループに追加されることを要求するかどうかを判断するように構成された論理と、
前記判断に基づいて、前記少なくとも１つの報告によって示された位置と前記少なくとも１つの報告が送信された時間とともに含まれる、前記所与のマルチキャスト・グループに関連する前記グループ・メンバーリストに前記少なくとも１つのアクセス端末を記載することによって、前記少なくとも１つのアクセス端末を前記所与のマルチキャスト・グループに追加するように構成された論理と
をさらに備える、請求項５５に記載のワイヤレス通信システム。
【請求項５７】
前記少なくとも１つの報告が、前記少なくとも１つのアクセス端末が所与のマルチキャスト・グループから離脱されることを要求するかどうかを判断するように構成された論理と、
前記判断に基づいて、前記所与のマルチキャスト・グループに関連する前記グループ・メンバーリストから前記少なくとも１つのアクセス端末の記載を削除することによって、前記少なくとも１つのアクセス端末を前記所与のマルチキャスト・グループから離脱させるように構成された論理と
をさらに備える、請求項５５に記載のワイヤレス通信システム。
【請求項５８】
所与のマルチキャスト・グループ用のマルチキャスト・セッションを開始するように構成された論理と、
前記グループ・メンバーリストに基づいてセクタの初期クラスタをポピュレートするように構成された論理と、
セクタの初期クラスタ内の前記マルチキャスト・セッションをサポートするように構成された論理と
をさらに備える、請求項５５に記載のワイヤレス通信システム。
【請求項５９】
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末からアクセス・ネットワークに送信するための手段と、
前記アクセス端末の位置更新を前記アクセス・ネットワークに報告する方法である位置更新ルールを決定するための手段と、
前記決定された位置更新ルールに基づいて前記アクセス端末の位置更新を前記アクセス・ネットワークに報告するための手段と
を備えるワイヤレス通信システム。
【請求項６０】
送信するための前記手段が、前記アクセス端末が前記少なくとも１つのマルチキャスト・グループに加入することを要求するために前記グループ・メンバー報告を送信する、請求項５９に記載のワイヤレス通信システム。
【請求項６１】
送信するための前記手段が、前記アクセス端末が前記少なくとも１つのマルチキャスト・グループから離脱することを要求するために前記グループ・メンバー報告を送信する、請求項５９に記載のワイヤレス通信システム。
【請求項６２】
前記位置更新ルールが、時間ベースおよび位置ベースのうちの少なくとも１つである、請求項５９に記載のワイヤレス通信システム。
【請求項６３】
報告するための前記手段が、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項６２に記載のワイヤレス通信システム。
【請求項６４】
前記アクセス端末用のグループ・メンバーシップ情報を変更すべきかどうかを判断するための手段と、
判断するための前記手段が前記アクセス端末用のグループ・メンバーシップ情報を変更することを決定した場合、補足グループ・メンバー報告を前記アクセス端末から前記アクセス・ネットワークに送信するための手段と
をさらに備える、請求項５９に記載のワイヤレス通信システム。
【請求項６５】
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末から受信するための手段と、
各々が前記アクセス端末の位置を示す少なくとも１つの位置更新報告を前記アクセス端末から受信するための手段と
を備えるワイヤレス通信システム。
【請求項６６】
前記アクセス端末の位置更新を前記アクセス・ネットワークに報告する方法である位置更新ルールを決定するための手段と、
前記位置更新ルールを前記アクセス端末に送信するための手段と
をさらに備える、請求項６５に記載のワイヤレス通信システム。
【請求項６７】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループ・メンバーリストを、アクセス・ネットワークにおいて形成するための手段と、
前記アクセス端末からの（ｉ）前記受信された少なくとも１つの位置更新報告または（ｉｉ）１つまたは複数の補足グループ・メンバー報告に基づいて前記グループ・メンバーリストを更新するための手段と
をさらに備える、請求項６５に記載のワイヤレス通信システム。
【請求項６８】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループ・メンバーリストを、アクセス・ネットワークにおいて更新するための手段
をさらに備える、請求項６５に記載のワイヤレス通信システム。
【請求項６９】
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループ・メンバーリストを、アクセス・ネットワークにおいて形成するための手段と、
少なくとも１つのアクセス端末から送信された少なくとも１つの報告に基づいて前記グループ・メンバーリストを更新するための手段と
を備えるワイヤレス通信システム。
【請求項７０】
前記少なくとも１つの報告が、前記少なくとも１つのアクセス端末が所与のマルチキャスト・グループに追加されることを要求するかどうかを判断するための手段と、
前記判断に基づいて、前記少なくとも１つの報告によって示された位置と前記少なくとも１つの報告が送信された時間とともに含まれる、前記所与のマルチキャスト・グループに関連する前記グループ・メンバーリストに前記少なくとも１つのアクセス端末を記載することによって、前記少なくとも１つのアクセス端末を前記所与のマルチキャスト・グループに追加するための手段と
をさらに備える、請求項６９に記載のワイヤレス通信システム。
【請求項７１】
前記少なくとも１つの報告が、前記少なくとも１つのアクセス端末が所与のマルチキャスト・グループから離脱されることを要求するかどうかを判断するための手段と、
前記判断に基づいて、前記所与のマルチキャスト・グループに関連する前記グループ・メンバーリストから前記少なくとも１つのアクセス端末の記載を削除することによって、前記少なくとも１つのアクセス端末を前記所与のマルチキャスト・グループから離脱させるための手段と
をさらに備える、請求項６９に記載のワイヤレス通信システム。
【請求項７２】
所与のマルチキャスト・グループ用のマルチキャスト・セッションを開始するための手段と、
前記グループ・メンバーリストに基づいてセクタの初期クラスタをポピュレートするための手段と、
セクタの前記初期クラスタ内の前記マルチキャスト・セッションをサポートするための手段と
をさらに備える、請求項６９に記載のワイヤレス通信システム。
【請求項７３】
複数のセクタを含むワイヤレス通信システム内で動作するように構成され、その上に記憶されたプログラムコードを含むコンピュータ可読媒体であって、
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末からアクセス・ネットワークに送信するためのプログラムコードと、
前記アクセス端末の位置更新を前記アクセス・ネットワークに報告する方法である位置更新ルールを決定するためのプログラムコードと、
前記決定された位置更新ルールに基づいて前記アクセス端末の位置更新を前記アクセス・ネットワークに報告するためのプログラムコードと
を備えるコンピュータ可読媒体。
【請求項７４】
送信するための前記プログラムコードが、前記アクセス端末が前記少なくとも１つのマルチキャスト・グループに加入することを要求するために前記グループ・メンバー報告を送信する、請求項７３に記載のコンピュータ可読媒体。
【請求項７５】
送信するための前記プログラムコードが、前記アクセス端末が前記少なくとも１つのマルチキャスト・グループから離脱することを要求するために前記グループ・メンバー報告を送信する、請求項７３に記載のコンピュータ可読媒体。
【請求項７６】
前記位置更新ルールが、時間ベースおよび位置ベースのうちの少なくとも１つである、請求項７３に記載のコンピュータ可読媒体。
【請求項７７】
報告するための前記プログラムコードが、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項７６に記載のコンピュータ可読媒体。
【請求項７８】
前記アクセス端末用のグループ・メンバーシップ情報を変更すべきかどうかを判断するためのプログラムコードと、
判断するための前記プログラムコードが、前記アクセス端末用のグループ・メンバーシップ情報を変更することを決定した場合、補足グループ・メンバー報告を前記アクセス端末から前記アクセス・ネットワークに送信するためのプログラムコードと
をさらに備える、請求項７３に記載のコンピュータ可読媒体。
【請求項７９】
複数のセクタを含むワイヤレス通信システム内で動作するように構成され、その上に記憶されたプログラムコードを含むコンピュータ可読媒体であって、
アクセス端末の位置と少なくとも１つのマルチキャスト・グループとを示すグループ・メンバー報告であって、前記マルチキャスト・グループに関連するマルチキャスト・セッションが開始される前に送信される前記グループ・メンバー報告を、前記アクセス端末から受信するためのプログラムコードと、
各々が前記アクセス端末の位置を示す少なくとも１つの位置更新報告を前記アクセス端末から受信するためのプログラムコードと
を備えるコンピュータ可読媒体。
【請求項８０】
前記アクセス端末の位置更新を前記アクセス・ネットワークに報告する方法である位置更新ルールを決定するためのプログラムコードと、
前記位置更新ルールを前記アクセス端末に送信するためのプログラムコードと
をさらに備える、請求項７９に記載のコンピュータ可読媒体。
【請求項８１】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループ・メンバーリストを、アクセス・ネットワークにおいて形成するためのプログラムコードと、
前記アクセス端末からの（ｉ）前記受信された少なくとも１つの位置更新報告または（ｉｉ）１つまたは複数の補足グループ・メンバー報告に基づいて前記グループ・メンバーリストを更新するためのプログラムコードと
をさらに備える、請求項７９に記載のコンピュータ可読媒体。
【請求項８２】
少なくとも前記受信されたグループ・メンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループ・メンバーリストを、アクセス・ネットワークにおいて更新するためのプログラムコード
をさらに備える、請求項７９に記載のコンピュータ可読媒体。
【請求項８３】
複数のセクタを含むワイヤレス通信システム内で動作するように構成され、その上に記憶されたプログラムコードを含むコンピュータ可読媒体であって、
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループ・メンバーリストを、アクセス・ネットワークにおいて形成するためのプログラムコードと、
少なくとも１つのアクセス端末から送信された少なくとも１つの報告に基づいて前記グループ・メンバーリストを更新するためのプログラムコードと
を備えるコンピュータ可読媒体。
【請求項８４】
前記少なくとも１つの報告が、前記少なくとも１つのアクセス端末が所与のマルチキャスト・グループに追加されることを要求するかどうかを判断するためのプログラムコードと、
前記判断に基づいて、前記少なくとも１つの報告によって示された位置と前記少なくとも１つの報告が送信された時間とともに含まれる、前記所与のマルチキャスト・グループに関連する前記グループ・メンバーリストに前記少なくとも１つのアクセス端末を記載することによって、前記少なくとも１つのアクセス端末を前記所与のマルチキャスト・グループに追加するためのプログラムコードと
をさらに備える、請求項８３に記載のコンピュータ可読媒体。
【請求項８５】
前記少なくとも１つの報告が、前記少なくとも１つのアクセス端末が所与のマルチキャスト・グループから離脱されることを要求するかどうかを判断するためのプログラムコードと、
前記判断に基づいて、前記所与のマルチキャスト・グループに関連する前記グループ・メンバーリストから前記少なくとも１つのアクセス端末の記載を削除することによって、前記少なくとも１つのアクセス端末を前記所与のマルチキャスト・グループから離脱させるためのプログラムコードと
をさらに備える、請求項８３に記載のコンピュータ可読媒体。
【請求項８６】
所与のマルチキャスト・グループ用のマルチキャスト・セッションを開始するためのプログラムコードと、
前記グループ・メンバーリストに基づいてセクタの初期クラスタをポピュレートするためのプログラムコードと、
セクタの前記初期クラスタ内の前記マルチキャスト・セッションをサポートするためのプログラムコードと
をさらに備える、請求項８３に記載のコンピュータ可読媒体。
【発明の詳細な説明】
【技術分野】
【０００１】
米国特許法第１１９条に基づく優先権の主張
本特許出願は、本出願の譲受人に譲渡され、その全体が参照により明白に本明細書に組み込まれる、２００７年９月２４日に出願された「METHODS OF TRACKING LOCATIONS OF MULTICAST GROUP MEMBERS WITHIN A WIRELESS COMMUNICATION SYSTEM」と題する仮出願第６０／９７４，８３０号の優先権を主張する。
【０００２】
本発明は、ワイヤレス電気通信システムにおける通信に関し、より詳細には、ワイヤレス通信システム内のマルチキャスト・グループ・メンバーの位置を追跡する方法に関する。
【背景技術】
【０００３】
ワイヤレス通信システムは、第１世代アナログ・ワイヤレス電話サービス（１Ｇ）、第２世代（２Ｇ）デジタル・ワイヤレス電話サービス（中間の２．５Ｇおよび２．７５Ｇネットワークを含む）、ならびに第３世代（３Ｇ）高速データ／インターネット対応ワイヤレス・サービスを含む、様々な世代を通じて発展してきた。現在、セルラシステムおよびパーソナル・コミュニケーションズ・サービス（ＰＣＳ）システムを含めて、多くの異なるタイプのワイヤレス通信システムがある。知られているセルラシステムの例には、セルラ・アナログ・アドバンスト・モバイルフォン・システム（ＡＭＰＳ）、および符号分割多元接続（ＣＤＭＡ）、周波数分割多元接続（ＦＤＭＡ）、時分割多元接続（ＴＤＭＡ）、ＴＤＭＡの広域移動通信システム（ＧＳＭ）変形に基づくデジタル・セルラシステム、およびＴＤＭＡ技術とＣＤＭＡ技術の両方を使用するより新しいハイブリッド・デジタル通信システムがある。
【０００４】
ＣＤＭＡ移動通信を提供するための方法は、本明細書においてＩＳ−９５と呼ぶ「Mobile Station-Base Station Compatibility Standard for Dual-Mode Wideband Spread Spectrum Cellular System」と題するＴＩＡ／ＥＩＡ／ＩＳ−９５−Ａにおいて、Telecommunications Industry Association/Electronic Industries Associationによって米国で標準化された。複合ＡＭＰＳ＆ＣＤＭＡシステムはＴＩＡ／ＥＩＡ標準ＩＳ−９８に記載されている。他の通信システムは、広帯域ＣＤＭＡ（ＷＣＤＭＡ）、ＣＤＭＡ２０００（たとえばＣＤＭＡ２０００  １ｘＥＶ−ＤＯ規格など）、またはＴＤ−ＳＣＤＭＡと呼ばれるものをカバーする標準である、ＩＭＴ−２０００／ＵＭ、すなわちInternational Mobile Telecommunications System 2000/Universal Mobile Telecommunications Systemに記載されている。
【０００５】
ワイヤレス通信システムでは、移動局、ハンドセット、またはアクセス端末（ＡＴ）が、基地局に隣接するかまたはこれを囲む特定の地理的領域内での通信リンクまたはサービスをサポートする、固定位置の基地局（セルサイトまたはセルとも呼ばれる）からの信号を受信する。基地局は、一般に、サービス品質（ＱｏＳ）要件に基づいてトラフィックを区別するための方法をサポートする標準Ｉｎｔｅｒｎｅｔ  Ｅｎｇｉｎｅｅｒｉｎｇ  Ｔａｓｋ  Ｆｏｒｃｅ（ＩＥＴＦ）ベースのプロトコルを使用するパケットデータネットワークである、アクセス・ネットワーク（ＡＮ）／無線アクセス・ネットワーク（ＲＡＮ）にエントリポイントを与える。したがって、基地局は、一般に、無線インターフェースによってＡＴと対話し、インターネットプロトコル（ＩＰ）ネットワーク・データパケットによってＡＮと対話する。
【０００６】
ワイヤレス電気通信システムでは、プッシュツートーク（ＰＴＴ）機能がサービスセクタおよび消費者に普及している。ＰＴＴは、ＣＤＭＡ、ＦＤＭＡ、ＴＤＭＡ、ＧＳＭなど、標準の商用ワイヤレス・インフラストラクチャ上で動作する「ディスパッチ」音声サービスをサポートすることができる。ディスパッチモデルでは、エンドポイント（ＡＴ）間の通信が仮想グループ内で行われ、そこでは１人の「送話者（talker）」の音声が１人または複数の「受話者（listener）」に送信される。このタイプの通信の単一のインスタンスは、通常、ディスパッチ呼、または単にＰＴＴ呼と呼ばれる。ＰＴＴ呼は、呼の特性を定義する、グループのインスタンシエーションである。グループは、本質的に、グループ名またはグループＩＤなど、メンバーリストおよび関連情報によって定義される。
【０００７】
従来、ワイヤレス通信ネットワーク内のデータパケットは、単一の宛先またはアクセス端末に送信されるように構成された。単一の宛先へのデータの送信は「ユニキャスト」と呼ばれる。移動通信が増加するにつれて、所与のデータを複数のアクセス端末に同時に送信する能力がより重要になった。したがって、複数の宛先またはターゲットアクセス端末への同じパケットまたはメッセージの同時データ送信をサポートするためにプロトコルが採用された。「ブロードキャスト」は、（たとえば、所与のセル内にある、所与のサービスプロバイダによってサービスされるものなど）すべての宛先またはアクセス端末へのデータパケットの送信を指し、「マルチキャスト」は、宛先またはアクセス端末の所与のグループへのデータパケットの送信を指す。一例では、宛先の所与のグループまたは「マルチキャスト・グループ」は、（たとえば、所与のセル内にある、所与のサービスプロバイダによってサービスされるものなど）可能な宛先またはアクセス端末のうちの２つ以上およびすべてよりも少ない数を含むことができる。ただし、少なくともいくつかの状況においては、マルチキャスト・グループが、ユニキャストと同様に、ただ１つのアクセス端末を備えること、あるいは代替的に、マルチキャスト・グループが、ブロードキャストと同様に、（たとえば、所与のセル内などの）すべてのアクセス端末を備えることが可能である。
【０００８】
ブロードキャストおよび／またはマルチキャストは、マルチキャスト・グループに対応するために複数の連続ユニキャスト動作を実行する、複数のデータ送信を同時に処理するための一意のブロードキャスト／マルチキャスト・チャネル（ＢＣＨ）を割り当てるなど、いくつかの方法でワイヤレス通信システム内で実行できる。プッシュツートーク通信のためのブロードキャスト・チャネルを使用する従来のシステムが、その内容の全体が参照により本明細書に組み込まれる、「Push-To-Talk Group Call System Using CDMA 1x-EVDO Cellular Network」と題する、２００７年３月１日付けの米国特許出願公開第２００７／００４９３１４号に記載されている。公開第２００７／００４９３１４に記載されているように、従来のシグナリング技法を使用するプッシュツートーク呼のためにブロードキャスト・チャネルを使用することができる。ブロードキャスト・チャネルの使用は従来のユニキャスト技法よりも帯域幅要件を改善することができるが、ブロードキャスト・チャネルの従来のシグナリングは、依然として追加のオーバヘッドおよび／または遅延を生じる可能性があり、システムパフォーマンスを劣化させることがある。
【０００９】
第３世代パートナーシッププロジェクト２（「３ＧＰＰ２」）は、ＣＤＭＡ２０００ネットワークにおけるマルチキャスト通信をサポートするためのブロードキャストマルチキャストサービス（ＢＣＭＣＳ）規格を定義する。したがって、「CDMA2000 High Rate Broadcast-Multicast Packet Data Air Interface Specification」と題する、２００６年２月１４日付けの３ＧＰＰ２のＢＣＭＣＳ規格のバージョンである、バージョン１．０  Ｃ．Ｓ００５４−Ａは、その全体が参照により本明細書に組み込まれる。
【発明の概要】
【００１０】
本発明の実施形態は、ワイヤレス通信システム内のマルチキャスト・グループ・メンバーの位置を追跡するシステムおよび方法を対象とする。アクセス端末は、アクセス端末の位置と少なくとも１つのマルチキャスト・グループとを示すグループ・メンバー報告を、マルチキャスト・グループに関連するマルチキャスト・セッションが開始される前にアクセス・ネットワークに送信し、アクセス端末の位置更新をアクセス・ネットワークに報告する方法である位置更新ルールを決定し、決定された位置更新ルールに基づいてアクセス端末の位置更新をアクセス・ネットワークに報告する。アクセス・ネットワークは、アクセス端末からグループ・メンバー報告と１つまたは複数の後続の位置更新報告とを受信する。アクセス・ネットワークは、アクセス端末のリストと、記載されたアクセス端末の各々に関連する少なくとも１つのマルチキャスト・グループと、記載されたアクセス端末の各々に関連する位置と、各位置がアクセス・ネットワークに最後に報告された時間を示すタイムスタンプとを含むグループ・メンバーリストを形成する。アクセス・ネットワークは、１つまたは複数のアクセス端末から送信された位置更新報告および／または補足グループ・メンバー報告に基づいてグループ・メンバーリストを更新する。
【００１１】
本発明の実施形態およびその付随する利点の多くのより完全な諒解は、以下の詳細な説明を参照し、本発明を限定するためではなく単に例示するために提示する添付の図面とともに考察することによってよりよく理解されれば、容易に得られるであろう。
【図面の簡単な説明】
【００１２】
【図１】本発明の少なくとも１つの実施形態によるアクセス端末とアクセス・ネットワークとをサポートするワイヤレス・ネットワーク・アーキテクチャを示す図。
【図２】本発明の一実施形態によるキャリア・ネットワークを示す図。
【図３】本発明の少なくとも１つの実施形態によるアクセス端末を示す図。
【図４】ブロードキャストマルチキャストサービス（ＢＣＭＣＳ）フレームワークを使用する従来のマルチキャスト・メッセージングプロセスを示す図。
【図５】ダウンリンク制御チャネルの従来のサイクルを示す図。
【図６】本発明の一実施形態によるグループ・メンバーシップ報告および位置更新プロセスを示す図。
【図７】本発明の一実施形態によるマルチキャスト・メッセージングプロセスを示す図。
【図８】本発明の一実施形態によるワイヤレス通信システムを示す図。
【発明を実施するための形態】
【００１３】
本発明の特定の実施形態を対象とする以下の説明および関連する図面で本発明の態様を開示する。本発明の範囲から逸脱しなければ代替実施形態を考案することができる。さらに、本発明の重要な詳細を不明瞭にしないように、本発明のよく知られている要素については詳細には説明しないか、または省略する。
【００１４】
「例示的」および／または「例」という用語は、本明細書では「例、事例、または例示として機能すること」を意味するために使用される。本明細書で「例示的」および／または「例」として説明するいかなる実施形態も、必ずしも他の実施形態よりも好ましいまたは有利であると解釈すべきではない。同様に、「本発明の実施形態」という用語は、本発明のすべての実施形態が論じられた特徴、利点または動作モードを含むことを必要としない。
【００１５】
さらに、多くの実施形態については、たとえば、コンピューティングデバイスの要素によって実行すべき一連の動作に関して説明する。本明細書で説明する様々な動作は、特定の回路（たとえば、特定用途向け集積回路（ＡＳＩＣ））によって、１つまたは複数のプロセッサによって実行されるプログラム命令によって、または両方の組合せによって実行できることを認識されよう。さらに、本明細書で説明するこれらの一連の動作は、実行時に、関連するプロセッサに本明細書で説明する機能を実行させるコンピュータ命令の対応するセットを記憶した任意の形式のコンピュータ可読記憶媒体内で全体として実施すべきものと見なすことができる。したがって、本発明の様々な態様は、すべてが請求する主題の範囲内に入ることが企図されているいくつかの異なる形式で実施できる。さらに、本明細書で説明する実施形態ごとに、そのような実施形態の対応する形式を、たとえば、記載の動作を実行する「ように構成された論理」として本明細書で説明することがある。
【００１６】
本明細書でアクセス端末（ＡＴ）と呼ぶ高データレート（ＨＤＲ）加入者局は、移動でも固定でもよく、本明細書でモデムプール・トランシーバ（ＭＰＴ）または基地局（ＢＳ）と呼ぶ１つまたは複数のＨＤＲ基地局と通信することができる。アクセス端末は、１つまたは複数のモデムプール・トランシーバを介して、モデムプール・コントローラ（ＭＰＣ）、基地局コントローラ（ＢＳＣ）および／またはパケット制御機能（ＰＣＦ）と呼ばれるＨＤＲ基地局コントローラとの間でデータパケットを送信および受信する。モデムプール・トランシーバおよびモデムプール・コントローラは、アクセス・ネットワークと呼ばれるネットワークの一部である。アクセス・ネットワークは複数のアクセス端末間でデータパケットをトランスポートする。
【００１７】
アクセス・ネットワークは、企業内イントラネットまたはインターネットなど、アクセス・ネットワークの外部の追加のネットワークにさらに接続でき、各アクセス端末とそのような外部のネットワークとの間でデータパケットをトランスポートすることができる。１つまたは複数のモデムプール・トランシーバとのアクティブ・トラフィック・チャネル接続を確立したアクセス端末は、アクティブアクセス端末と呼ばれ、トラフィック状態にあると言われる。１つまたは複数のモデムプール・トランシーバとのアクティブ・トラフィック・チャネル接続を確立中であるアクセス端末は、接続セットアップ状態にあると言われる。アクセス端末は、ワイヤレス・チャネルを介して、または、たとえば、光ファイバまたは同軸ケーブルを使用する有線チャネルを介して通信する任意のデータデバイスとすることができる。アクセス端末はさらに、限定はしないが、ＰＣカード、コンパクトフラッシュ（登録商標）、外部または内部モデム、あるいはワイヤレス電話または有線電話を含む、いくつかのタイプのデバイスのいずれかとすることができる。アクセス端末が信号をモデムプール・トランシーバに送信するための通信リンクは、逆方向リンクまたは逆方向トラフィック・チャネルと呼ばれる。モデムプール・トランシーバが信号をアクセス端末に送信するための通信リンクは、順方向リンクまたは順方向トラフィック・チャネルと呼ばれる。本明細書で使用するトラフィック・チャネルという用語は、順方向トラフィック・チャネルまたは逆方向トラフィック・チャネルのいずれかを指すことができる。
【００１８】
図１に、本発明の少なくとも１つの実施形態によるワイヤレスシステム１００の１つの例示的な実施形態のブロック図を示す。システム１００は、アクセス端末１０２をネットワーク機器に接続して、パケット交換データネットワーク（たとえば、イントラネット、インターネット、および／またはキャリア・ネットワーク１２６）とアクセス端末１０２、１０８、１１０、１１２との間にデータ接続性を与えることができるエアインターフェース１０４を介してアクセス・ネットワークまたは無線アクセス・ネットワーク（ＲＡＮ）１２０と通信している、セルラー電話１０２などのアクセス端末を含むことができる。本明細書に示すように、アクセス端末は、セルラー電話１０２、携帯情報端末１０８、本明細書に双方向テキストページャとして示すページャ１１０、さらにはワイヤレス通信ポータルを有する別個のコンピュータ・プラットフォーム１１２とすることができる。したがって、本発明の実施形態は、ワイヤレスモデム、ＰＣＭＣＩＡカード、パーソナルコンピュータ、電話、またはそれらの任意の組合せもしくは部分的な組合せを限定なしに含む、ワイヤレス通信ポータルを含むか、またはワイヤレス通信機能を有する任意の形式のアクセス端末上で実現できる。さらに、本明細書で使用する「アクセス端末」、「ワイヤレスデバイス」、「クライアントデバイス」、「モバイル端末」という用語およびその変形体は、互換的に使用できる。
【００１９】
再び図１を参照すると、ワイヤレス・ネットワーク１００の構成要素および本発明の例示的な実施形態の要素の相互関係は、図示の構成に限定されない。システム１００は、例示的なものにすぎず、ワイヤレス・クライアント・コンピューティング・デバイス１０２、１０８、１１０、１１２などのリモートアクセス端末が、互いに、および／またはキャリア・ネットワーク１２６、インターネットおよび／または他のリモートサーバを限定なしに含む、エアインターフェース１０４およびＲＡＮ１２０を介して接続された構成要素との間で無線で通信できるようにする任意のシステムを含むことができる。
【００２０】
ＲＡＮ１２０は、基地局コントローラ／パケット制御機能（ＢＳＣ／ＰＣＦ）１２２に送信される（一般に、データパケットとして送信される）メッセージを制御する。ＢＳＣ／ＰＣＦ１２２は、パケットデータサービスノード１００（「ＰＤＳＮ」）とアクセス端末１０２／１０８／１１０／１１２との間でのベアラチャネル（すなわち、データチャネル）のシグナリング、確立および分解を担当する。リンク層暗号化が使用可能な場合、ＢＳＣ／ＰＣＦ１２２はまた、エアインターフェース１０４を介してコンテンツを転送する前にそのコンテンツを暗号化する。ＢＳＣ／ＰＣＦ１２２の機能は当技術分野でよく知られており、簡潔のためにさらに論じない。キャリア・ネットワーク１２６は、ネットワーク、インターネットおよび／または公衆交換電話ネットワーク（ＰＳＴＮ）によってＢＳＣ／ＰＣＦ１２２と通信することができる。代替的に、ＢＳＣ／ＰＣＦ１２２はインターネットまたは外部ネットワークに直接接続することができる。一般に、キャリア・ネットワーク１２６とＢＳＣ／ＰＣＦ１２２との間のネットワークまたはインターネット接続はデータを転送し、ＰＳＴＮはボイス情報を転送する。ＢＳＣ／ＰＣＦ１２２は複数の基地局（ＢＳ）またはモデムプール・トランシーバ（ＭＰＴ）１２４に接続できる。キャリア・ネットワークと同様の方法で、ＢＳＣ／ＰＣＦ１２２は一般に、データ転送および／またはボイス情報のために、ネットワーク、インターネットおよび／またはＰＳＴＮによってＭＰＴ／ＢＳ１２４に接続される。ＭＰＴ／ＢＳ１２４は、セルラー電話１０２などのアクセス端末にデータメッセージをワイヤレスでブロードキャストすることができる。ＭＰＴ／ＢＳ１２４、ＢＳＣ／ＰＣＦ１２２および他の構成要素は、当技術分野で知られているように、ＲＡＮ１２０を形成することができる。ただし、代替構成も使用でき、本発明は、図示の構成に限定されない。たとえば、別の実施形態では、ＢＳＣ／ＰＣＦ１２２の機能とＭＰＴ／ＢＳ１２４の１つまたは複数とを、ＢＳＣ／ＰＣＦ１２２とＭＰＴ／ＢＳ１２４の両方の機能を有する単一の「ハイブリッド」モジュールに縮小することができる。
【００２１】
図２に、本発明の一実施形態によるキャリア・ネットワーク１２６を示す。図２の実施形態では、キャリア・ネットワーク１２６は、パケットデータサービングノード（ＰＤＳＮ）１６０と、ブロードキャスト・サビングノード（ＢＳＮ）１６５と、アプリケーション・サーバ１７０と、インターネット１７５とを含む。ただし、代替実施形態では、アプリケーション・サーバ１７０および他の構成要素はキャリア・ネットワークの外部に位置することがある。ＰＤＳＮ１６０は、たとえば、ｃｄｍａ２０００の無線アクセス・ネットワーク（ＲＡＮ）（たとえば、図１のＲＡＮ１２０）を利用して、インターネット１７５、イントラネットおよび／またはリモートサーバ（たとえば、アプリケーション・サーバ１７０）へのアクセスを移動局（たとえば、図１の１０２、１０８、１１０、１１２などのアクセス端末）に提供する。アクセスゲートウェイとして働くので、ＰＤＳＮ１６０は、単純ＩＰおよびＭｏｂｉｌｅＩＰアクセス、外部エージェントサポート、およびパケットトランスポートを提供することができる。ＰＤＳＮ１６０は、認証、認可、および課金（ＡＡＡ：Authentication, Authorization, and Accounting）サーバおよび他のサポートインフラストラクチャのクライアントとして働くことができ、当技術分野で知られているように、ＩＰネットワークへのゲートウェイを移動局に提供する。図２に示すように、ＰＤＳＮ１６０は、従来のＡ１０接続を介してＲＡＮ１２０（たとえば、ＢＳＣ／ＰＣＦ１２２）と通信することができる。Ａ１０接続は当技術分野でよく知られており、簡潔のためにさらに説明しない。
【００２２】
図２を参照すると、ブロードキャスト・サビングノード（ＢＳＮ）１６５は、マルチキャストおよびブロードキャスト・サービスをサポートするように構成できる。ＢＳＮ１６５について、以下でより詳細に説明する。ＢＳＮ１６５は、ブロードキャスト（ＢＣ）Ａ１０接続を介してＲＡＮ１２０（たとえば、ＢＳＣ／ＰＣＦ１２２）と、またインターネット１７５を介してアプリケーション・サーバ１７０と通信する。ＢＣＡ１０接続は、マルチキャストまたはブロードキャスト・メッセージングを転送するために使用される。したがって、アプリケーション・サーバ１７０は、インターネット１７５を介してユニキャストメッセージングをＰＤＳＮ１６０に送信し、またインターネット１７５を介してマルチキャスト・メッセージングをＢＳＮ１６５に送信する。
【００２３】
一般に、以下でより詳細に説明するように、ＲＡＮ１２０は、ＢＣＡ１０接続を介してＢＳＮ１６５から受信したマルチキャスト・メッセージを、エアインターフェース１０４のブロードキャスト・チャネル（ＢＣＨ）を介して１つまたは複数のアクセス端末２００に送信する。
【００２４】
図３を参照すると、セルラー電話などのアクセス端末２００（本明細書ではワイヤレスデバイス）は、キャリア・ネットワーク１２６、インターネットおよび／または他のリモートサーバおよびネットワークから最終的に発生することがある、ＲＡＮ１２０から送信されたソフトウェアアプリケーション、データおよび／またはコマンドを受信し、実行することができるプラットフォーム２０２を有する。プラットフォーム２０２は、特定用途向け集積回路（「ＡＳＩＣ」２０８）または他のプロセッサ、マイクロプロセッサ、論理回路、または他のデータ処理デバイスに動作可能に結合されたトランシーバ２０６を含むことができる。ＡＳＩＣ２０８または他のプロセッサは、ワイヤレスデバイスのメモリ２１２中の任意の常駐プログラムとインターフェースするアプリケーション・プログラミング・インターフェース（「ＡＰＩ」）２１０層を実行する。メモリ２１２は、読取り専用メモリまたはランダムアクセスメモリ（ＲＡＭおよびＲＯＭ）、ＥＥＰＲＯＭ、フラッシュカード、またはコンピュータ・プラットフォームに共通の任意のメモリから構成できる。プラットフォーム２０２は、メモリ２１２中でアクティブに使用されないアプリケーションを保持することができるローカル・データベース２１４を含むこともできる。ローカル・データベース２１４は、一般にフラッシュメモリセルであるが、磁気媒体、ＥＥＰＲＯＭ、光学媒体、テープ、ソフトまたはハードディスクなど、当技術分野で知られている任意の二次記憶デバイスとすることができる。内部プラットフォーム２０２の構成要素は、当技術分野で知られていているように、他の構成要素の中でもアンテナ２２２、ディスプレイ２２４、プッシュツートークボタン２２８およびキーパッド２２６などの外部デバイスに動作可能に結合することもできる。
【００２５】
したがって、本発明の一実施形態は、本明細書で説明する機能を実行するための能力を含むアクセス端末を含むことができる。当業者なら諒解するように、本明細書で開示する機能を達成するために、様々な論理要素を、個別の要素、プロセッサ上で実行されるソフトウェアモジュール、またはソフトウェアとハードウェアとの任意の組合せで実施することができる。たとえば、ＡＳＩＣ２０８、メモリ２１２、ＡＰＩ２１０およびローカル・データベース２１４をすべて協働的に使用して、本明細書で開示する様々な機能をロード、記憶および実行することができ、したがってこれらの機能を実行する論理を様々な要素に分散することができる。代替的に、機能を１つの個別の構成要素に組み込むことができる。したがって、図３のアクセス端末の特徴は例示的なものにすぎないと見なすべきであり、本発明は例示した特徴または構成に限定されない。
【００２６】
アクセス端末１０２とＲＡＮ１２０との間のワイヤレス通信は、符号分割多元接続（ＣＤＭＡ）、ＷＣＤＭＡ、時分割多元接続（ＴＤＭＡ）、周波数分割多元接続（ＦＤＭＡ）、直交周波数分割多重（ＯＦＤＭ）、広域移動通信システム（ＧＳＭ）、またはワイヤレス通信ネットワークまたはデータ通信ネットワークで使用できる他のプロトコルなど、様々な技術に基づくことができる。データ通信は、一般に、クライアントデバイス１０２とＭＰＴ／ＢＳ１２４とＢＳＣ／ＰＣＦ１２２との間で行われる。ＢＳＣ／ＰＣＦ１２２は、キャリア・ネットワーク１２６、ＰＳＴＮ、インターネット、バーチャル・プライベート・ネットワークなどの複数のデータネットワークに接続でき、したがって、アクセス端末１０２はより広範囲の通信ネットワークにアクセスできるようになる。前述のように、および当技術分野で知られているように、様々なネットワークおよび構成を使用して、ボイス送信および／またはデータをＲＡＮからアクセス端末に送信することができる。したがって、本明細書で提供する例は、本発明の実施形態を限定するものではなく、本発明の実施形態の態様の説明を助けるものにすぎない。
【００２７】
背景技術セクションで論じたように、マルチキャスト・メッセージングは、いくつかの方法で実行できる。本発明の実施形態をよりよく理解するために、従来のマルチキャスト・メッセージングプロセスについて、それぞれ図４および図５に関して説明する。次いで、マルチキャスト・セッション開始の前に、１つまたは複数のマルチキャスト・メンバーを含む可能性がある予想セクタのセットが確立される、本発明の一実施形態によるマルチキャスト・メッセージングプロセスについて説明する。
【００２８】
図４に、ブロードキャストマルチキャストサーバ（ＢＣＭＣＳ）フレームワークを使用する従来のマルチキャスト・メッセージングプロセスを示す。図１および図２のワイヤレスシステム１００内で実行される図４のマルチキャスト・メッセージングプロセスについて以下で説明する。図４を参照すると、４００において、アプリケーション・サーバ１７０（または他のイニシエータ）は、マルチキャスト・メッセージが、ＡＴ（たとえば、Ａ、ＢおよびＣ）を含むマルチキャスト・グループに送信されることを要求する。４００のマルチキャスト・メッセージはＢＳＮ１６５にルーティングされる。４０５において、ＢＳＮ１６５は、ＢＣＡ１０接続を介してマルチキャスト・メッセージをＲＡＮ１２０に転送する。たとえば、マルチキャスト・メッセージは最初にＢＳＣ／ＰＣＦ１２２に転送され、ＢＳＣ／ＰＣＦ１２２は、マルチキャスト・メッセージのマルチキャスト・グループ・メンバーを分析し、１つまたは複数のマルチキャスト・グループ・メンバーにサービスする各ＭＰＴ／ＢＳ１２４にマルチキャスト・メッセージを転送する。
【００２９】
転送されたマルチキャスト・メッセージを受信した後、ＲＡＮ１２０は、４１０において次の利用可能な制御チャネルカプセルを待つ。本明細書で言及する制御チャネルは、ブロードキャスト・チャネル（ＢＣＨ）とは異なる周波数、コーディングおよび／または帯域幅を割り当てられるダウンリンク制御チャネルである。一般に、従来、制御メッセージングのみを含むものとされる制御チャネルには、より少ない帯域幅が割り振られ、従来、データを含むものとされるブロードキャスト・チャネル（ＢＣＨ）には、より多くの帯域幅が割り振られる。
【００３０】
図５を参照すると、各制御チャネルサイクルは合計２５６個のスロットを含む。各制御チャネルサイクルは、同期制御チャネルカプセル（ＳＣ）と、非同期制御チャネルカプセル（ＡＣ）と、いくつかの副同期制御チャネル（ＳＳＣ）とを含む。１つのＳＣは、２５６スロットの周期を有する各制御チャネルサイクルの所与のタイムスロットで定期的または周期的に送信され、ＡＣは、制御チャネルサイクル内で「ランダム」にまたは非同期タイムスロットで送信される。ＳＣは、最初に、「Ｔ  ｍｏｄ  ２５６＝オフセット」に対応するタイムスロットで送信され、次いで、「Ｔ  ｍｏｄ  ４＝オフセット」に対応するタイムスロットで再送信され、Ｔはシステム時間を示し、オフセットは、制御チャネルヘッダ中に含まれる、固定時間から遅延された時間値を示す。各ＳＣは複数の制御チャネルＭＡＣ層パケットを含むことができ、各ＡＣはただ１つの制御チャネルＭＡＣ層パケットを含む。各ＭＰＴ／ＢＳ１２４は１つまたは複数の制御チャネルＭＡＣ層パケットを周期的に送信するので、各ＭＰＴ／ＢＳ１２４が同時に送信した場合、干渉（たとえば、セル間干渉）が起こることがある。したがって、衝突を回避するために、各ＭＰＴ／ＢＳ１２４のＳＣに異なるオフセットが適用される。ＭＰＴ／ＢＳは、１つの制御チャネル周期または２５６スロットサイクル内で３つのＳＳＣカプセルを送信することができる。各ＳＳＣは、一般に、ただ１つの制御チャネルＭＡＣ層パケットを送信する。オフセット値２の場合、ＳＳＣは、タイムスロット６６、１３０および１９４で送信される。制御チャネルカプセル（たとえば、ＳＣ、ＡＣ、ＳＳＣなど）は、一般に、ＢＣＭＣＳシステムの技術分野でよく知られており、したがって、そのさらなる説明は簡潔のために省略する。
【００３１】
図４に戻ると、４１０において、ＲＡＮ１２０は、同期制御チャネルカプセル（ＳＣ）（たとえば、オフセット２の場合、次の制御チャネルサイクル中のタイムスロット２）または、代替的に、周期的なＢＯＭメッセージがスケジュールされる副同期制御チャネルカプセル（ＳＳＣ）（たとえば、オフセット２の場合、制御チャネルサイクルのタイムスロット６６、１３０、１９４のうちの１つ）のいずれかを待つことができる。たとえば、各制御チャネルサイクル内の１つの特定の制御チャネルカプセルを特定のＢＯＭのために予約することができ、他のアプリケーションが制御チャネルにアクセスを試みていること、および他のメッセージがスケジュールされることがあるので、複数のサイクルの遅延が生じる場合がある。
【００３２】
４１５において、次の利用可能なＳＣまたはＳＳＣを待った後、マルチキャスト・セッションのためのマルチキャスト・グループ・メンバーの位置がＲＡＮ１２０において正確に知られていないので、ＲＡＮ１２０は、エアインターフェースを介してブロードキャスト・オーバーヘッド・メッセージ（ＢＯＭ）を、ワイヤレス通信システム１００の多数のセクタにわたる１つまたは複数のマルチキャスト・グループ・メンバー（たとえば、ＡＴ  Ａ、Ｂ、Ｃ）に送信する。ＢＯＭは、ＥＶ−ＤＯ規格によって定義された順方向リンク制御メッセージである。ＢＯＭは、セクタ中で現在搬送されているＢＣＭＣＳフローについて各マルチキャスト・グループ・メンバーに通知するために使用される。ＢＯＭはまた、所望のパケットフローを受信するために復号すべき順方向リンク物理層タイムスロットに関する情報、ならびにブロードキャスト物理層パケット当たりの物理層スロットの数、およびフローを送信するために使用される物理層レートに関する情報である、インターレース多重対（ＩＭ対）情報を提供する。４２０において、ＲＡＮ１２０は、ターゲットＡＴにおいて復号すべきＢＯＭのための所定数のスロット（たとえば、８〜１６個のスロット）を待つ。遅延４２０の後、ＲＡＮ１２０は、４２５において、復号されたＢＯＭによって示されるＢＣＨスロットを待つ。これは、ブロードキャスト・チャネル（ＢＣＨ）上のトラフィックに基づいて、さらに悪化することがある別の遅延を生じさせる。４３０において、ＲＡＮ１２０は、告知メッセージを各マルチキャスト・グループ・メンバー、またはブロードキャスト・チャネル（ＢＣＨ）を介してすべての可能なセクタ中の指定されたＢＣＨスロット上でサービスしているターゲットＡＴに送信する。次に、４３５において、マルチキャスト・セッションを監視することを望むＡＴ  Ａ、ＢおよびＣの各々は、１ｘＥＶ−ＤＯ規格によって定義されるＢＣＭＣＳＦｌｏｗＲｅｇｉｓｔｒａｔｉｏｎメッセージでＲＡＮ１２０に応答する。
【００３３】
図４に関して上述したように、従来のＢＣＭＣＳマルチキャスト・メッセージングは、一般に、マルチキャスト・メッセージがブロードキャスト・チャネル（ＢＣＨ）を介してマルチキャスト・グループのそれぞれのメンバーに送信される前に、各ターゲットＡＴまたはマルチキャスト・グループ・メンバーがブロードキャスト・オーバーヘッド・メッセージ（ＢＯＭ）を復号することを必要とする。これは、ＢＯＭのスケジューリングに対する遅延と、復号に対する遅延の両方を生じ、告知メッセージのスケジューリングに対する潜在的な後続の遅延を生じる。また、ＢＯＭおよび告知メッセージは、ワイヤレス通信システム１００内のすべて可能なセクタ中で送信される。ただし、マルチキャスト・グループ・メンバーが各セクタ内で必ずしも存在するわけではないことを諒解されたい。したがって、マルチキャスト・セッションが開始されるたびに、いくつかの送信は無駄になる。
【００３４】
アクセス端末が将来のマルチキャスト・セッションのためにＲＡＮ１２０に「事前登録する」本発明の実施形態について、以下で説明する。その後、アクセス端末は、それらの位置および／またはそれらのグループ・メンバーシップ情報を周期的に更新するので、それにより所与のマルチキャスト・セッションが開始すると、ＲＡＮ１２０は、所与のマルチキャスト・セッションのためのマルチキャスト・グループ・メンバーがどこに位置するかに関する少なくともいくらかの知識を有する。したがって、ＲＡＮ１２０は、所与のマルチキャスト・セッションを確立および／または維持するために必要な送信の回数を減らすことができる。
【００３５】
図６に、本発明の一実施形態によるグループ・メンバーシップ報告および位置更新プロセスを示す。図６の実施形態では、６００において、１つまたは複数のマルチキャスト・グループに属することを望む所与のＡＴの電源を投入する。所与のＡＴの電源を投入した後（たとえば、ＲＡＮ１２０内の１つまたは複数の基地局によって送信されたパイロット信号を特定した後、および／または任意の他の初期電源投入手順を実行した後）、６０５において、所与のＡＴは、グループ・メンバーシップ通知（ＧＭＮ）をＲＡＮ１２０に送信する。ＧＭＮメッセージは、所与のＡＴが現在のまたは予想されるマルチキャスト・グループ・メンバーであるマルチキャスト・グループのリストを含む。
【００３６】
一例では、ＧＭＮメッセージは、標準のＢＣＭＣＳＦｌｏｗＲｅｇｉｓｔｒａｔｉｏｎメッセージ内に含めることができる。ＢＣＭＣＳＦｌｏｗＲｅｇｉｓｔｒａｔｉｏｎメッセージは、当技術分野でよく知られており、１ｘＥＶ−ＤＯ規格内で定義される。一般に、レジスタがＢＣＭＣＳＦｌｏｗＲｅｇｉｓｔｒａｔｉｏｎメッセージを促進するように（たとえば、動的ブロードキャスト用レジスタ（ＲＦＤＢ）フィールドまたはページング用レジスタ（ＲＦＰ）フィールドを１に等しく）設定されたＢＯＭを受信した後、ＡＴはＢＣＭＣＳＦｌｏｗＲｅｇｉｓｔｒａｔｉｏｎメッセージを送信する。ＢＣＭＣＳＦｌｏｗＲｅｇｉｓｔｒａｔｉｏｎメッセージは、ＡＴが監視することを望むＢＣＭＣＳＦｌｏｗＩＤのリストを含む。ＢＣＭＣＳＦｌｏｗＩＤは、（たとえば、ＢＣＭＣＳコントローラ（図示せず）によって）動的に割り当てるか、または事前設定することができる。ＢＣＭＣＳＦｌｏｗＩＤがＢＣＭＣＳコントローラによって動的に割り当てられた場合、ＡＴは、ＢＣＭＣＳＦｌｏｗＲｅｇｉｓｔｒａｔｉｏｎメッセージを送信する前に、ＢＣＭＣＳフロー発見プロセスによってＢＣＭＣＳＦｌｏｗＩＤを獲得することができる。一方、本発明の別の実施形態では、ＢＣＭＣＳＦｌｏｗＩＤのあるブロックを、マルチキャスト・セッションが実際にアクティブかどうかにかかわらず予約済みに事前設定することができる。この例では、各「予約済み」ＢＣＭＣＳＦｌｏｗＩＤは、それぞれのＩＰグループＩＤ（すなわち、マルチキャストＩＰアドレスとポート番号との対）にマッピングできる。一例では、本出願の譲受人に譲渡され、その全体が参照により本明細書に明確に組み込まれ、弁理士整理番号第０７１３６５Ｐ１号を有し、２００７年９月２４日に出願された「METHODS OF GENERATING MULTICAST FLOW IDENTIFIERS」と題する米国仮特許出願番号第６０／９７４，８２７号内でより詳細に記述されているように、「予約済み」ＢＣＭＣＳＦｌｏｗＩＤのマッピングは各マルチキャスト・グループ・メンバーならびにＲＡＮ１２０および／またはＢＳＮ１６５において事前設定される。したがって、この例では、６０５のＧＭＮメッセージ内に含まれるＢＣＭＣＳＦｌｏｗＩＤは「予約済み」ＢＣＭＣＳＦｌｏｗＩＤの１つまたは複数に対応することができる。
【００３７】
代替例では、ＧＭＮメッセージは、たとえば、アップリンク上のＳｔｏｒａｇｅＢＬＯＢＮｏｔｉｆｉｃａｔｉｏｎメッセージ中など、プロプライエタリまたは非標準メッセージ内に含めることができる。この例では、ＧＭＮメッセージはＢＣＭＣＳＦｌｏｗＩＤのリストを含むことができる。代替的に、ＧＭＮメッセージは、要求されているマルチキャスト・セッションのためのマルチキャストＩＰアドレスとポート番号とのリストを含むことができる。
【００３８】
図６の６００および６０５はＡＴの「電源投入」を対象としているが、代替実施形態では、所与のＡＴが（たとえば、新しい基地局、新しいサブネットなどに）ハンドオフするたびに、補足ＧＭＮメッセージをＲＡＮ１２０に送信することができる。
【００３９】
ＲＡＮ１２０は、６０５のＧＭＮメッセージを受信し、６１０において、グループ・メンバーリストをポピュレートする。各グループ・メンバーリスト・エントリは、（ｉ）ＧＭＮメッセージをＲＡＮ１２０に送信したＡＴのリスト（「ＡＴリスト・フィールド」）、（ｉｉ）（たとえば、６０５においてＢＣＭＣＳＦｌｏｗＩＤのエントリが報告された場合、ＢＣＭＣＳフローＩＤとして記憶され、６０５においてプロプライエタリメッセージが報告された場合、マルチキャストＩＰアドレスとポート番号との対として記憶されるなどの）グループ・メンバーリスト内の各ＡＴの関連するマルチキャスト・グループ（「マルチキャスト・グループ・フィールド」）、（ｉｉｉ）（たとえば、セクタ識別情報、基地通信所識別などを示す）各ＡＴの最新位置（「位置フィールド」）、および（ｉｖ）ＡＴの最新位置が報告された時間を示すタイムスタンプ（「タイムスタンプ・フィールド」）を含む。グループ・メンバーリスト・エントリの例を、以下に表１として示す。
【表１】
2011501894.tif 000003
【００４０】
したがって、表１の例に示すように、所与のＡＴは、「ＡＴ１」と標示され、マルチキャスト・グループＴ＿Ｆｌｏｗ、Ｕ＿ＦｌｏｗおよびＶ＿Ｆｌｏｗのメンバーである。所与のＡＴの最新位置はワイヤレス通信システム１００のセクタＹ内にあり、最新位置は東部標準時（ＥＳＴ）午後７時６分に報告された。
【００４１】
別の例では、グループ・メンバーリスト・エントリはマルチキャスト・グループ・フィールドに基づいてグループ化でき、表２として以下に示す。
【表２】
2011501894.tif 000004
【００４２】
したがって、表２の例に示すように、ＡＴ１〜ＡＴ４には、マルチキャスト・グループＴ＿Ｆｌｏｗを登録される。説明の便宜のために、位置フィールドおよびタイムスタンプ・フィールドは、ＡＴ１〜ＡＴ４の各々に固有であるので表２内に含めていない。
【００４３】
上記のグループ・メンバーリスト・エントリは例示のために与えたものにすぎず、本発明の他の実施形態では、グループ・メンバーリスト・エントリを任意のよく知られている方法で構成することができることを諒解されたい。たとえば、位置フィールドは、セクタ識別子ではなく、基地局識別子を代替的に記憶することができる。別の例では、位置フィールドは、位置エリア（ＬＡ）識別子など、複数のセクタを特定する識別子を記憶することができ、各ＬＡは（たとえば、ＲＡＮ１２０によって画定される）サブネットまたはＰＣＦエリアの一部分、あるいはマルチキャスト・エリア（ＭＡ）識別子に対応し、各ＭＡは、マルチキャストする目的のためだけにＲＡＮ１２０によって特定されるサブネットまたはＰＣＦエリアの一部分に対応する。
【００４４】
６１０において、ＧＭＮメッセージに基づいてグループ・メンバーリストを更新した後、６１５において、ＲＡＮ１２０は、ＡＴの位置更新ルールまたはプロトコルを動的に設定すべきかどうかを判断する。位置更新ルールは、ＡＴがＲＡＮ１２０へのＲｏｕｔｅＵｐｄａｔｅメッセージの送信をスケジュールする方法に対応する。ＲｏｕｔｅＵｐｄａｔｅメッセージは特定のＡＴの位置フィールドおよびタイムスタンプ・フィールド（上記参照）を更新する。一般に、ＲＡＮ１２０は、特定のマルチキャスト・グループのためのマルチキャスト・グループ・メンバーの位置をより厳密に追跡することを望む場合、６１５において、比較的積極的な位置更新ルールを設定することができる。あるいは、ＲＡＮ１２０は、逆方向リンクトラフィックを低減することを望む場合、６１５において、比較的控えめな位置更新ルールを設定することができる。別の代替例では、ＲＡＮ１２０は、位置更新ルールを設定せず、デフォルトの、または所与のＡＴにおいて手動で入力された位置更新ルールに依拠することがある。位置更新ルールの例を以下に示す。
【００４５】
６２０において、所与のＡＴは位置更新ルールを確立する。たとえば、６１５において、ＲＡＮ１２０が位置更新ルールを動的に設定しないことを決定した場合、６２０において、デフォルトの位置更新ルールを確立することができる。代替的に、６１５において、ＲＡＮ１２０が位置更新ルールを動的に設定することを決定した場合、６２０において、動的に設定された位置更新ルールをアクティブにする。別の代替例では、所与のＡＴのユーザは、カスタム位置更新ルールを手動で選択し、入力することができる。
【００４６】
一例では、位置更新ルールが距離ベース登録（ＤＢＲ）プロトコルとすることができるので、所与のＡＴは、所与の距離を通過した後、（たとえば、所与のＡＴがどの（１つまたは複数の）セクタを通過したかなどに基づいて）ＲｏｕｔｅＵｐｄａｔｅメッセージを送信する。所与の距離は、所与のＡＴがどの基地局にハンドオフされたか、所与のＡＴが、アイドル状態の間、どの基地局を監視していたかなどに基づくことができる。距離ベース登録プロトコルでの位置更新ルールの変更は、ＥＶ−ＤＯシステム中の一般的属性更新プロトコル（ＧＡＵＰ：Generic Attribute Update Protocol）によってＡＴに伝達できる。別の代替例では、所与のＡＴが新しい位置エリア（ＬＡ）に入るたびに、位置更新ルールはＲｏｕｔｅＵｐｄａｔｅメッセージを送信することになっており、各ＬＡは（たとえば、ＲＡＮ１２０によって画定された）サブネットまたはＰＣＦエリアの一部分に対応する。
【００４７】
別の例では、位置更新ルールは、いくつかの可能な位置更新ストラテジのいずれかに対応することができる。たとえば、位置更新ルールはタイマベースとすることができ、所与のＡＴは所定のまたはカスタムの周期でタイマを維持し、タイマ周期ごとに１回ＲｏｕｔｅＵｐｄａｔｅメッセージを送信する。この例では、タイマ周期が小さくなるに従って、位置更新ルールがより積極的になり、グループ・メンバーリストの位置エントリをより最新に維持することになる。ただし、タイマ周期が小さくなるに従って、逆方向リンク上のトラフィックのレベルが高くなることにも関連する。
【００４８】
６２０において、位置更新ルールを設定した後、６２５において、所与のＡＴは通常動作（たとえば、アイドルモードに入る、音声呼出しを行うなど）を再開する。６３０において、所与のＡＴは、６２０において確立された位置更新ルールに基づいて、その位置情報をＲｏｕｔｅＵｐｄａｔｅメッセージで更新すべきかどうかを判断する。位置更新ルールがＲｏｕｔｅＵｐｄａｔｅメッセージを必要とする場合、６３５において、ＲｏｕｔｅＵｐｄａｔｅメッセージをＲＡＮ１２０に送信する。６４０において、ＲＡＮ１２０は、ＲｏｕｔｅＵｐｄａｔｅメッセージに基づいてグループ・メンバーリストパラメータを更新する。たとえば、ＲＡＮ１２０は、ＲｏｕｔｅＵｐｄａｔｅメッセージに基づいて、所与のＡＴのグループ・メンバーリストの位置フィールドおよびタイムスタンプ・フィールドを更新する。あるいは、位置更新ルールが、ＲｏｕｔｅＵｐｄａｔｅメッセージを送信する必要がないことを示した場合、プロセスは６４５に進む。
【００４９】
６４５において、所与のＡＴは、そのグループ・メンバーシップ情報を補足ＧＭＮメッセージで更新すべきかどうかを判断する。たとえば、所与のＡＴが新しいマルチキャスト・グループに加入することを望む場合、所与のＡＴは、（すなわち、新しいマルチキャスト・グループのＢＣＭＣＳＦｌｏｗＩＤおよび／またはマルチキャストＩＰアドレスとポート番号との対を含む）補足ＧＭＮメッセージを送信することを決定することができる。別の例では、所与のＡＴが、すでに登録したマルチキャスト・グループに対するそのメンバーシップをキャンセルすることを望む場合、所与のＡＴは、（すなわち、キャンセルされるマルチキャスト・グループのためのＢＣＭＣＳＦｌｏｗＩＤおよび／またはマルチキャストＩＰアドレスとポート番号との対を省略した）補足ＧＭＮメッセージを送信することを決定することができる。一例では、各補足ＧＭＮメッセージは、前に送信された任意のＧＭＮメッセージに取って代わる。所与のＡＴがそのグループ・メンバーシップ情報を更新しないことを決定した場合、プロセスは６２５に戻り、所与のＡＴは通常動作を再開する。あるいは、所与のＡＴがそのグループ・メンバーシップ情報を更新することを決定した場合、６５０において、所与のＡＴは補足ＧＭＮメッセージを送信する。
【００５０】
６５５において、ＲＡＮ１２０は、補足ＧＭＮメッセージに基づいてグループ・メンバーリストパラメータを更新する。補足ＧＭＮメッセージが、前に送信されたＧＭＮメッセージとは異なるマルチキャスト・グループを要求した場合、所与のＡＴが属するマルチキャスト・グループのリストを維持するマルチキャスト・グループ・フィールドは、補足ＧＭＮメッセージ中に記載されたマルチキャスト・グループを追加するように更新される。代替的に、グループの削除がＧＭＮメッセージ内で示された場合、マルチキャスト・グループ・フィールドは、補足ＧＭＮメッセージ中に記載されたマルチキャスト・グループを削除するように更新される。諒解されるように、これは、前に記載されたマルチキャスト・グループを削除すること、新しいマルチキャスト・グループを追加すること、および／または所与のＡＴの関連するマルチキャスト・グループ・フィールドからいくつかのマルチキャスト・グループを追加することと削除することの両方を必要とすることがある。さらに、ＲＡＮ１２０は、補足ＧＭＮメッセージを送信する所与のＡＴのグループ・メンバーリストの位置フィールドおよびタイムスタンプ・フィールドを更新する。
【００５１】
別の例では、補足ＧＭＮメッセージは、記載されたマルチキャスト・グループを含まない場合、グループ・メンバーリストから所与のＡＴを完全に欠落させるかまたはキャンセルする要求と解釈される。したがって、補足ＧＭＮメッセージがマルチキャスト・グループを含まない場合、ＲＡＮ１２０は、所与のＡＴのＡＴリスト・フィールド、マルチキャスト・グループ・フィールド、位置フィールドおよびタイムスタンプ・フィールドの各々を削除する。
【００５２】
図６の上記の説明に鑑みて諒解されるように、所与の時間に、グループ・メンバーリストは、マルチキャスト・グループのアクティブなマルチキャスト・セッションが実際に開始される前、マルチキャスト・グループ・メンバーが「潜在的に」位置する場所に関する情報を含む（たとえば、「潜在的に」とは、グループ・メンバーリストが必ずしも完全に正確であるわけではないことに起因する）。
【００５３】
さらに、図６には明示的に示されていないが、ＲＡＮ１２０は、自発的に（すなわち、１つまたは複数のＡＴから受信したＲｏｕｔｅＵｐｄａｔｅメッセージおよび／またはＧＭＮメッセージに応答せずに）グループ・メンバーリストを周期的に更新することができる。たとえば、特定のＡＴの位置フィールドが「古く」なったか、または経過時間のしきい値を超えた場合、ＲＡＮ１２０は、古い位置フィールドを最新ではないと解釈し、グループ・メンバーリストから関連するＡＴを完全に削除することができる。
【００５４】
図７に、本発明の一実施形態によるマルチキャスト・メッセージングプロセスを示す。図７に関して、ＲＡＮ１２０によって維持されるグループ・メンバーリストが、マルチキャスト・グループＴ＿Ｆｌｏｗを登録した複数のＡＴを含むと仮定する。したがって、一例として、Ｔ＿Ｆｌｏｗを登録していたＡＴのグループ・メンバーリストは、次のエントリを（以下の）表３中に含むことができる。
【表３】
2011501894.tif 000005
【００５５】
図７を参照すると、７００において、アプリケーション・サーバ１７０は、所与のマルチキャスト・グループ用のマルチキャスト・フローを開始する要求を発行する。例のために、表３（上記の）のように、マルチキャスト・フローが、ＡＴ  Ａ〜ＡＴ  Ｇの各々のマルチキャスト・グループ・フィールド中でのＴ＿Ｆｌｏｗに対応すると仮定する。たとえば、図７の７００において生成されるマルチキャスト・フローＴ＿Ｆｌｏｗは、所与のマルチキャスト・グループ（図示せず）に話したいという所与のアクセス端末の要求に応答することができる。アプリケーション・サーバ１７０がＡＴの要求を受け入れることを決定した後、サーバ１７０は、ＩＰマルチキャスティングによってグループ・メンバーに送信すべきマルチキャスト・フロー告知メッセージを生成することができる。７０５において、アプリケーション・サーバ１７０はマルチキャスト・フローをＢＳＮ１６５に転送し、ＢＳＮ１６５は、ＢＣＡ１０接続を介してＢＣＭＣＳフローをＲＡＮ１２０に転送し、７１０において、ＲＡＮ１２０は、１つまたは複数のセクタにおいてエアインターフェース１０４を介してＢＣＭＣＳフローのマルチキャスト・メッセージをマルチキャスト・グループ・メンバーに送信することを担当する。
【００５６】
図７の７１０において、ＲＡＮ１２０は、初期「クラスタ」のためのターゲットセクタの初期セットを決定する。本明細書で使用するターゲットセクタは、少なくとも１つのマルチキャスト・グループ・メンバーを有する、または「潜在的に」有するワイヤレス通信システム内の任意のセクタである。本明細書で使用する「クラスタ」は、ＢＣＨが特定のマルチキャスト・グループ用のＢＣＭＣＳフローを搬送するセクタのセット（たとえば、１つまたは複数のセクタ）に対応する。以下でより詳細に説明するように、クラスタは、特定のマルチキャスト・グループまたはＢＣＭＣＳフロー用のターゲットセクタとサポートセクタの両方を含む。
【００５７】
さらに図７の７１０を参照すると、ＲＡＮ１２０は、ＲＡＮ１２０において維持されるグループ・メンバーリストに基づいて、ターゲットセクタの初期セットを決定する（たとえば、表３を参照）。したがって、表３の例では、ターゲットセクタの初期セットはセクタＴ１〜Ｔ４に対応することができる。より一般的には、ターゲットセクタの初期セットは、セクタＴ１〜Ｔ４のいずれかに対するある近接度基準を満たすすべてのセクタに対応することができる（たとえば、タイムスタンプ・フィールドが比較的最新である場合、グループ・メンバーリスト・エントリ内でＲＡＮ１２０において維持されるＡＴの最新位置が必ずしも正しいわけではないが、ＡＴの実際の現在位置にもっとも近い可能性があることに起因する）。
【００５８】
次に、図７の７１５において、ＲＡＮ１２０は、ＢＣＭＣＳフローＴ＿Ｆｌｏｗ用のサポートセクタの初期セットを決定する。一例では、サポートセクタの初期セットはターゲットセクタの初期セットに基づくことができる。たとえば、サポートセクタは、１つまたは複数のターゲットセクタと隣接している、それ自体がターゲットセクタではない任意のセクタに対応することができる。代替的に、サポートセクタは、ターゲットセクタと実際に隣接することなく、ターゲットセクタの所与の近接度（たとえば、距離近接度、信号強度近接度など）にあるセクタに対応することができる。
【００５９】
図７の７２０において、ＲＡＮ１２０はＢＣＭＣＳフロー用の非サポートセクタの初期セットを決定する。ＢＣＭＣＳフロー用の非サポートセクタの初期セットは、図４の７１０において決定されたターゲットセクタでもなく、図７の７１５において決定されたサポートセクタでもない、ワイヤレスシステム１００内の任意のセクタを含む。
【００６０】
図４の７２５において、ＲＡＮ１２０は、ターゲットセクタプロセスおよびサポートセクタプロセスをそれぞれのターゲットセクタおよびサポートセクタにおいて実行する。一般に、各ターゲットセクタおよび各サポートセクタは、ダウンリンクブロードキャスト・チャネルＢＣＨ上でＢＣＭＣＳフローを搬送し、したがって、ＲＡＮ１２０は、マルチキャスト・メッセージをターゲットセクタＴ１〜Ｔ４およびサポートセクタにサービスしている基地局に転送する。ただし、過大なＡＴフィードバックを低減するために、サポートセクタは、ＢＯＭ周期ごとにＡＴフィードバックを促進するように（たとえば、サポートセクタ内に「さまよって入っていく」ＡＴからのフィードバックを促進するように）構成された（たとえば、ＲＦＤＢ＝１またはＲＦＰ＝１をもつ）ＢＯＭを送信するが、ターゲットセクタは、（たとえば、ターゲットセクタがＢＣＭＣＳフローをすでに搬送したとき、ＡＴ登録を阻止するために）ＡＴフィードバックを促進するＢＯＭの送信の頻度をより少なくし、ＡＴフィードバックを抑制する（たとえば、ＲＦＤＢ＝０またはＲＦＰ＝０をもつ）ＢＯＭの送信の頻度をより多くする。非サポートセクタは、ＢＣＭＣＳフローＴ＿Ｆｌｏｗを搬送せず、ＲＡＮ１２０は、Ｔ＿Ｆｌｏｗ用のマルチキャスト・メッセージを非サポートセクタに転送する必要はない。ターゲットセクタの挙動、サポートセクタの挙動および非サポートセクタの挙動に関するより詳細な説明は、本出願の譲受人に譲渡され、その全体が参照により本明細書に明確に組み込まれ、弁理士整理番号第０７２３４０Ｐ１号を有し、２００７年９月２４日に出願された「METHODS OF SUPPORTING MULTICAST COMMUNICATIONS ASSOCIATED WITH OVERLAPPING CLUSTERS WITHIN A WIRELESS COMMUNICATIONS NETWORK」と題する米国仮特許出願番号第６０／９７４，８０８号で記載されている。
【００６１】
次に、図７の７３０において、ＲＡＮ１２０は、（たとえば、新しいターゲット／サポートセクタを追加する、ターゲット／サポートセクタを削除するなど）クラスタのセクタ割当てを更新する。この場合も、セクタ割当ての更新のより詳細な説明は、上述の同時係属出願内で示される。また、図７には明示的に示していないが、アクティブなマルチキャスト・セッション中に、ＲＡＮ１２０は、マルチキャスト・グループ・メンバーから受信したＧＭＮメッセージおよびＲｏｕｔｅＵｐｄａｔｅメッセージに基づいてグループ・メンバーリストを維持／更新し続けることを諒解されたい。
【００６２】
図８に、（上記の）表３および図７のプロセス内で示される仮定に基づいて構成されたワイヤレス通信システム８００を示す。図８に示すように、ワイヤレス通信システム８００は、ターゲットセクタＴ１〜Ｔ４、サポートセクタＮ１〜Ｎ１１および非サポートセクタＸ１〜Ｘ１７を含む複数のセクタ８０５を含む。上述のように、マルチキャストまたはＢＣＭＣＳフローＴ＿Ｆｌｏｗは、ターゲットセクタＴ１〜Ｔ４およびサポートセクタＮ１〜Ｎ１１内で告知／搬送され、ＲＡＮ１２０は、Ｔ＿Ｆｌｏｗをサポートするマルチキャスト・メッセージングを非サポートセクタ内の基地局に告知または送信しない。したがって、システム全体にわたるマルチキャスト通信トラフィックのレベルは、マルチキャスト・フローＴ＿Ｆｌｏｗが各それぞれのセクタにおいて告知される従来技術に比較して低減される。
【００６３】
本発明の代替実施形態では、図７の７１０に関して上述したように、ターゲットセクタは、（ｉ）表３中に維持される各ＡＴの最新位置フィールド中に記憶されるセクタ（すなわち、セクタＴ１〜Ｔ４）、および（ｉｉ）（ｉ）に対する所与の近接度基準を満たすセクタを含むように構成できる。たとえば、所与の近接度基準が隣接するセクタに対応する場合、サポートセクタＮ１〜Ｎ１１がまたターゲットセクタになり、ターゲットセクタの新しいセットに隣接するセクタがサポートセクタになるなどのように、ワイヤレス通信システム８００は変更される。別の例として、所与の近接度基準が、距離ベース登録を行うために最後に登録されたセクタからの距離内のすべてのセクタに対応する場合、その距離内のすべてのセクタはまた、ターゲットセクタになる。したがって、初期ターゲットセクタグループは、所与のマルチキャスト・グループのためのＲＡＮ１２０において維持されるＡＴの最新位置に必ずしも限定されるわけではないことを諒解されたい。
【００６４】
別の例では、グループ・メンバーリストを使用して、告知メッセージなどの「対話型」マルチキャスト・メッセージに応答する方法に関してマルチキャスト・グループ・メンバーに指示するスケジューリング命令をＲＡＮ１２０からマルチキャスト・グループ・メンバーに与えることができ、対話型マルチキャスト・メッセージとは、１つまたは複数のマルチキャスト・グループ・メンバーからフィードバックを要求するかまたは必要とするマルチキャスト・メッセージである。たとえば、多数のマルチキャスト・グループ・メンバーが特定のセクタ内に存在すると予想され、マルチキャスト・セッションの告知メッセージがセクタ内で送信された場合、比較的多数のマルチキャスト・グループ・メンバーが、告知メッセージに応答してマルチキャスト・セッションに登録するために、逆方向リンクチャネルにアクセスしようと同時に試みることがある。ただし、グループ・メンバーリスト内に存在する情報を用いて、ＲＡＮ１２０は、「アクセスチャネルメッセージ」（ＡＣＭ）によってアクセス端末が告知メッセージに応答するための応答シーケンスをスケジュールすることができる。たとえば、ＲＡＮ１２０は、告知メッセージとともにＡＣＭを送信することができ、そのＡＣＭは、グループ・メンバーリストに基づいて、いくつかのアクセス端末のためのフィードバックスロットを予約する、優先順位をつけられた応答順序を示す。たとえば、ＲＡＮ１２０によって維持されるグループ・メンバーリストにおいてその位置フィールドが最近更新された（たとえば、ＧＭＮメッセージ、ＲｏｕｔｅＵｐｄａｔｅメッセージなどによって更新された）アクセス端末が、ＡＣＭによって第１の応答スロットを与えられ、次に最近更新された位置フィールドを有するＡＴが、ＡＣＭによって第２の応答スロットを与えられ、以下同様である。ＡＣＭおよび逆方向リンク上の対話型マルチキャスト・メッセージフィードバックのスケジューリングについては、本出願の譲受人に譲渡され、その全体が参照により本明細書に明確に組み込まれ、弁理士整理番号第０７１２４６Ｐ１号を有し、２００７年９月２４日に出願された「METHODS OF RESPONDING TO AN INTERACTIVE MULTICAST MESSAGE WITHIN A WIRELESS COMMUNICATION SYSTEM」と題する米国仮特許出願番号第６０／９７４，７９６号内でより詳細に記述されている。
【００６５】
情報および信号は、多種多様な技術および技法のいずれかを使用して表すことができることを当業者ならば諒解されよう。たとえば、上記の説明の全体にわたって言及することがあるデータ、命令、コマンド、情報、信号、ビット、シンボル、およびチップは、電圧、電流、電磁波、磁界または磁性粒子、光場または光学粒子、あるいはそれらの任意の組合せによって表現できる。
【００６６】
さらに、本明細書で開示した実施形態に関連して説明した様々な例示的な論理ブロック、モジュール、回路、およびアルゴリズム・ステップは、電子ハードウェア、コンピュータソフトウェア、または両方の組合せとして実装できることを、当業者は諒解されよう。ハードウェアとソフトウェアのこの互換性を明確に示すために、様々な例示的な構成要素、ブロック、モジュール、回路、およびステップを、上記では概して、それらの機能に関して説明した。そのような機能をハードウェアで実装するかソフトウェアで実装するかは、特定の適用例および全体的なシステムに課された設計制約に依存する。当業者は説明した機能を特定の適用例ごとに様々な方法で実装することができるが、そのような実装の決定は本発明の範囲からの逸脱を生じるものと解釈すべきではない。
【００６７】
本明細書に開示した実施形態に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブル・ゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行できる。汎用プロセッサはマイクロプロセッサとすることができるが、代替形態では、プロセッサは従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【００６８】
本明細書で開示した実施形態と関連して説明した方法、シーケンス、および／またはアルゴリズムは、直接ハードウェアで、プロセッサによって実行されるソフトウェアモジュールで、またはその２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取ることができ、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣはユーザ端末（たとえばアクセス端末）に常駐することができる。代替として、プロセッサおよび記憶媒体はユーザ端末中の個別構成要素として常駐することができる。
【００６９】
１つまたは複数の例示的な実施形態では、説明した機能はハードウェア、ソフトウェア、ファームウェア、またはその任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、コンピュータ記憶媒体と、ある場所から別の場所へのコンピュータプログラムの転送を可能にするいかなる媒体をも含む通信媒体との両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置を備えることができ、あるいは所望のプログラムコードを命令またはデータ構造の形態で担持または記憶するために使用でき、コンピュータによってアクセスできる、任意の他の媒体を備えることができる。また、どんな接続も正確にはコンピュータ可読媒体と呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００７０】
上記の開示は本発明の例示的な実施形態を示すが、添付の特許請求の範囲によって定義された本発明の範囲から逸脱することなく、様々な変更および改変を本明細書で行うことができることに留意されたい。本明細書で説明した本発明の実施形態による方法クレームの機能、ステップおよび／または動作を特定の順序で実行しなくてもよい。さらに、本発明の実施形態の要素は、単数形で説明または請求されていることがあるが、単数形に限定することが明示的に述べられていない限り、複数形が企図される。
【図１】
2011501894.tif 000006
【図２】
2011501894.tif 000007
【図３】
2011501894.tif 000008
【図４】
2011501894.tif 000009
【図５】
2011501894.tif 000010
【図６】
2011501894.tif 000011
【図７】
2011501894.tif 000012
【図８】
2011501894.tif 000013
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
マルチキャストの方法であって、
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末からアクセス・ネットワークに送信することと、
前記アクセス端末の位置更新を前記アクセス・ネットワークに報告する方法である位置更新ルールを決定することと、
前記決定された位置更新ルールに基づいて前記アクセス端末の位置更新を前記アクセス・ネットワークに報告することであって、それにより所与のマルチキャスト・セッションが開始すると、前記アクセス・ネットワークが前記マルチキャスト・セッションのための前記グループメンバーがどこに位置するかに関する前記報告された情報を使用して前記マルチキャスト・セッションに必要な回数の送信を確立する、報告することと
を備える方法。
【請求項２】
前記送信するステップが、前記アクセス端末が電源投入された後に実行される、請求項１に記載の方法。
【請求項３】
前記送信するステップが、前記アクセス端末のハンドオフの後に実行される、請求項１に記載の方法。
【請求項４】
前記決定するステップが、前記アクセス・ネットワークから受信された命令に基づいて前記位置更新ルールを決定する、請求項１に記載の方法。
【請求項５】
前記決定するステップが、前記アクセス端末に記憶されたデフォルト位置更新ルールに基づいて前記位置更新ルールを決定する、請求項１に記載の方法。
【請求項６】
前記決定するステップが、前記アクセス端末のユーザによる手入力に基づいて前記位置更新ルールを決定する、請求項１に記載の方法。
【請求項７】
前記位置が、セクタ識別子、基地局識別子、位置登録エリア（ＬＡ）識別子、およびマルチキャスト・エリア（ＭＡ）識別子のうちの１つによって示される、請求項１に記載の方法。
【請求項８】
前記少なくとも１つのマルチキャスト・グループが、ブロードキャストマルチキャストサービス（ＢＣＭＣＳ）フロー識別子、およびマルチキャスト・インターネットプロトコル（ＩＰ）アドレスとポート番号との対のうちの１つによって示される、請求項１に記載の方法。
【請求項９】
前記送信するステップが、前記アクセス端末が少なくとも１つのマルチキャスト・グループに加入することを要求するために前記グループメンバー報告を送信する、請求項１に記載の方法。
【請求項１０】
前記送信するステップが、前記アクセス端末が前記少なくとも１つのマルチキャスト・グループから離脱することを要求するために前記グループメンバー報告を送信する、請求項１に記載の方法。
【請求項１１】
前記位置更新ルールが、時間ベースおよび位置ベースのうちの少なくとも１つである、請求項１に記載の方法。
【請求項１２】
前記報告するステップが、
前記アクセス端末において所与の時間期間を有するタイマを開始することと、
前記アクセス端末の現在位置を示す位置更新を前記アクセス・ネットワークに、前記タイマの所与の時間期間ごとに１回送信することと
を含む、請求項１１に記載の方法。
【請求項１３】
前記位置更新ルールが距離ベース登録（ＤＢＲ）プロトコルに基づく、請求項１１に記載の方法。
【請求項１４】
前記報告するステップが、
前記ＤＢＲプロトコルが、前記アクセス端末が所与の距離を通過したことを示した後に、前記アクセス端末の現在位置を示す位置更新を前記アクセス・ネットワークに送信すること
を含む、請求項１３に記載の方法。
【請求項１５】
前記アクセス端末用のグループメンバーシップ情報を変更すべきかどうかを判断することと、
前記判断するステップが前記アクセス端末用のグループメンバーシップ情報を変更することを決定した場合、補足グループメンバー報告を前記アクセス端末から前記アクセス・ネットワークに送信することと
をさらに備える、請求項１に記載の方法。
【請求項１６】
前記補足グループメンバー報告がさらに、前記アクセス端末の現在位置を前記アクセス・ネットワークに示す、請求項１５に記載の方法。
【請求項１７】
前記アクセス端末および前記グループメンバー報告が送信されるアクセス・ネットワークがそれぞれ、前記所与のマルチキャスト・グループと同じＢＣＭＣＳＦｌｏｗＩＤで事前設定される、請求項１に記載の方法。
【請求項１８】
前記事前設定されたＢＣＭＣＳＦｌｏｗＩＤが、前記所与のマルチキャスト・グループ用のマルチキャストＩＰアドレスとポート指定番号とに基づいて決定される、請求項１７に記載の方法。
【請求項１９】
マルチキャストの方法であって、
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末から受信することと、
各々が前記アクセス端末の位置を示す少なくとも１つの位置更新報告を前記アクセス端末から受信することと、
所与のマルチキャスト・セッションを開始することとを備え、前記マルチキャスト・セッションのための前記グループメンバーがどこに位置するかに関する前記受信された情報を使用して、前記マルチキャスト・セッションに必要な回数の送信を確立する
方法。
【請求項２０】
前記アクセス端末の位置更新を前記アクセス・ネットワークに報告する方法である位置更新ルールを決定することと、
前記位置更新ルールを前記アクセス端末に送信することと
をさらに備える、請求項１９に記載の方法。
【請求項２１】
前記少なくとも１つの位置更新報告が、前記送信された位置更新ルールに従って前記アクセス端末から受信される、請求項２０に記載の方法。
【請求項２２】
前記決定される位置更新ルールが、前記アクセス端末から前記グループメンバー報告を受信した後に決定される、請求項２０に記載の方法。
【請求項２３】
前記決定される位置更新ルールが、前記アクセス端末から補足グループメンバー報告を受信した後に決定される、請求項２０に記載の方法。
【請求項２４】
前記決定される位置更新ルールが、前記アクセス端末において決定されたデフォルト位置更新ルールに関連する速度とは異なる速度で位置更新報告を送信するように前記アクセス端末を促すように構成される、請求項２０に記載の方法。
【請求項２５】
前記グループメンバー報告が、前記アクセス端末が前記少なくとも１つのマルチキャスト・グループに追加されることを要求する、請求項１９に記載の方法。
【請求項２６】
前記グループメンバー報告が、前記アクセス端末が前記少なくとも１つのマルチキャスト・グループから離脱されることを要求する、請求項１９に記載の方法。
【請求項２７】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループメンバーリストを、アクセス・ネットワークにおいて形成することと、
前記アクセス端末からの（ｉ）前記受信された少なくとも１つの位置更新報告または（ｉｉ）１つまたは複数の補足グループメンバー報告に基づいて前記グループメンバーリストを更新することと
をさらに備える、請求項１９に記載の方法。
【請求項２８】
前記グループメンバー報告が、前記アクセス端末が前記少なくとも１つのマルチキャスト・グループに追加されることを要求し、前記更新するステップが、前記アクセス端末を前記要求された少なくとも１つのマルチキャスト・グループに登録するために前記グループメンバーリストを更新する、請求項２７に記載の方法。
【請求項２９】
前記グループメンバー報告が、前記アクセス端末が前記少なくとも１つのマルチキャスト・グループから離脱されることを要求し、前記更新するステップが、前記少なくとも１つのマルチキャスト・グループへの前記アクセス端末の登録を取り消すために前記グループメンバーリストを更新する、請求項２７に記載の方法。
【請求項３０】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループメンバーリストを、アクセス・ネットワークにおいて更新すること
をさらに備える、請求項１９に記載の方法。
【請求項３１】
前記グループメンバー報告が、前記アクセス端末が前記少なくとも１つのマルチキャスト・グループに追加されることを要求し、前記更新するステップが、前記アクセス端末を前記要求された少なくとも１つのマルチキャスト・グループに登録するために前記グループメンバーリストを更新する、請求項３０に記載の方法。
【請求項３２】
前記グループメンバー報告が、前記アクセス端末が前記少なくとも１つのマルチキャスト・グループから離脱されることを要求し、前記更新するステップが、前記少なくとも１つのマルチキャスト・グループへの前記アクセス端末の登録を取り消すために前記グループメンバーリストを更新する、請求項３０に記載の方法。
【請求項３３】
前記アクセス端末および前記グループメンバー報告を受信するアクセス・ネットワークがそれぞれ、前記所与のマルチキャスト・グループと同じＢＣＭＣＳＦｌｏｗＩＤで事前設定される、請求項１９に記載の方法。
【請求項３４】
前記事前設定されたＢＣＭＣＳＦｌｏｗＩＤが、前記所与のマルチキャスト・グループ用のマルチキャストＩＰアドレスとポート指定番号とに基づいて決定される、請求項３３に記載の方法。
【請求項３５】
マルチキャストの方法であって、
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループメンバーリストを、アクセス・ネットワークにおいて形成することと、
少なくとも１つのアクセス端末から送信された少なくとも１つの報告に基づいて前記グループメンバーリストを更新することとを備え、所与のマルチキャスト・セッションが開始すると、前記アクセス・ネットワークが前記マルチキャスト・グループの前記記載されたアクセス端末に関連する前記位置を使用して、前記マルチキャスト・セッションに必要な回数の送信を確立する
方法。
【請求項３６】
前記少なくとも１つのアクセス端末が、前記記載されたアクセス端末のうちの１つである、請求項３５に記載の方法。
【請求項３７】
前記少なくとも１つの報告が、位置更新報告およびグループメンバー報告のうちの少なくとも１つを含む、請求項３６に記載の方法。
【請求項３８】
前記少なくとも１つのアクセス端末が、前記記載されたアクセス端末のうちの１つではない、請求項３５に記載の方法。
【請求項３９】
前記少なくとも１つの報告が、少なくとも１つの位置更新報告を含む、請求項３８に記載の方法。
【請求項４０】
前記少なくとも１つの報告が、前記少なくとも１つのアクセス端末が所与のマルチキャスト・グループに追加されることを要求するかどうかを判断することと、
前記判断するステップに基づいて、前記少なくとも１つの報告によって示された位置と前記少なくとも１つの報告が送信された時間とともに含まれる、前記所与のマルチキャスト・グループに関連する前記グループメンバーリストに前記少なくとも１つのアクセス端末を記載することによって、前記少なくとも１つのアクセス端末を前記所与のマルチキャスト・グループに追加することと
をさらに備える、請求項３５に記載の方法。
【請求項４１】
前記少なくとも１つの報告が、前記少なくとも１つのアクセス端末が所与のマルチキャスト・グループから離脱されることを要求するかどうかを判断することと、
前記判断するステップに基づいて、前記所与のマルチキャスト・グループに関連する前記グループメンバーリストから前記少なくとも１つのアクセス端末の記載を削除することによって、前記少なくとも１つのアクセス端末を前記所与のマルチキャスト・グループから離脱させることと
をさらに備える、請求項３５に記載の方法。
【請求項４２】
所与のマルチキャスト・グループ用のマルチキャスト・セッションを開始することと、
前記グループメンバーリストに基づいてセクタの初期クラスタをポピュレートすることと、
セクタの前記初期クラスタ内の前記マルチキャスト・セッションをサポートすることと
をさらに備える、請求項３５に記載の方法。
【請求項４３】
セクタの前記初期クラスタが、前記グループメンバーリスト内の前記所与のマルチキャスト・グループに属する１つまたは複数の記載されたアクセス端末を含むセクタである、１つまたは複数のターゲットセクタと、前記所与のマルチキャスト・グループ用の前記グループメンバーリストの前記記載されたアクセス端末に関連して記憶された前記位置に基づいて決定された前記ターゲットセクタの位置とを含む、請求項４２に記載の方法。
【請求項４４】
セクタの前記初期クラスタが１つまたは複数のサポートセクタをさらに含み、各サポートセクタがターゲットセクタではなく、少なくとも１つのターゲットセクタに対する近接度基準を満たす、請求項４３に記載の方法。
【請求項４５】
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末からアクセス・ネットワークに送信するように構成された論理と、
前記アクセス端末の位置更新を前記アクセス・ネットワークに報告する方法である位置更新ルールを決定するように構成された論理と、
前記決定された位置更新ルールに基づいて前記アクセス端末の位置更新を前記アクセス・ネットワークに報告するように構成された論理であって、それにより所与のマルチキャスト・セッションが開始すると、前記アクセス・ネットワークが前記マルチキャスト・セッションのための前記グループメンバーがどこに位置するかに関する前記報告された情報を使用して前記マルチキャスト・セッションに必要な回数の送信を確立する、論理と
を備えるワイヤレス通信システム。
【請求項４６】
送信するように構成された前記論理が、前記アクセス端末が前記少なくとも１つのマルチキャスト・グループに加入することを要求するために前記グループメンバー報告を送信する、請求項４５に記載のワイヤレス通信システム。
【請求項４７】
送信するように構成された前記論理が、前記アクセス端末が前記少なくとも１つのマルチキャスト・グループから離脱することを要求するために前記グループメンバー報告を送信する、請求項４５に記載のワイヤレス通信システム。
【請求項４８】
前記位置更新ルールが、時間ベースおよび位置ベースのうちの少なくとも１つである、請求項４５に記載のワイヤレス通信システム。
【請求項４９】
報告するように構成された前記論理が、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項４８に記載のワイヤレス通信システム。
【請求項５０】
前記アクセス端末用のグループメンバーシップ情報を変更すべきかどうかを判断するように構成された論理と、
判断するように構成された前記論理が前記アクセス端末用のグループメンバーシップ情報を変更することを決定した場合、補足グループメンバー報告を前記アクセス端末から前記アクセス・ネットワークに送信するように構成された論理と
をさらに備える、請求項４５に記載のワイヤレス通信システム。
【請求項５１】
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末から受信するように構成された論理と、
各々が前記アクセス端末の位置を示す少なくとも１つの位置更新報告を前記アクセス端末から受信するように構成された論理と、
所与のマルチキャスト・セッションを開始するように構成された論理とを備え、前記マルチキャスト・セッションのための前記グループメンバーがどこに位置するかに関する前記受信された情報を使用して、前記マルチキャスト・セッションに必要な回数の送信を確立する
ワイヤレス通信システム。
【請求項５２】
前記アクセス端末の位置更新を前記アクセス・ネットワークに報告する方法である位置更新ルールを決定するように構成された論理と、
前記位置更新ルールを前記アクセス端末に送信するように構成された論理と
をさらに備える、請求項５１に記載のワイヤレス通信システム。
【請求項５３】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループメンバーリストを、アクセス・ネットワークにおいて形成するように構成された論理と、
前記アクセス端末からの（ｉ）前記受信された少なくとも１つの位置更新報告または（ｉｉ）１つまたは複数の補足グループメンバー報告に基づいて前記グループメンバーリストを更新するように構成された論理と
をさらに備える、請求項５１に記載のワイヤレス通信システム。
【請求項５４】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループメンバーリストを、アクセス・ネットワークにおいて更新するように構成された論理
をさらに備える、請求項５１に記載のワイヤレス通信システム。
【請求項５５】
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループメンバーリストを、アクセス・ネットワークにおいて形成するように構成された論理と、
少なくとも１つのアクセス端末から送信された少なくとも１つの報告に基づいて前記グループメンバーリストを更新するように構成された論理とを備え、所与のマルチキャスト・セッションが開始すると、前記アクセス・ネットワークが前記マルチキャスト・グループの前記記載されたアクセス端末に関連する前記位置を使用して、前記マルチキャスト・セッションに必要な回数の送信を確立する
ワイヤレス通信システム。
【請求項５６】
前記少なくとも１つの報告が、前記少なくとも１つのアクセス端末が所与のマルチキャスト・グループに追加されることを要求するかどうかを判断するように構成された論理と、
前記判断に基づいて、前記少なくとも１つの報告によって示された位置と前記少なくとも１つの報告が送信された時間とともに含まれる、前記所与のマルチキャスト・グループに関連する前記グループメンバーリストに前記少なくとも１つのアクセス端末を記載することによって、前記少なくとも１つのアクセス端末を前記所与のマルチキャスト・グループに追加するように構成された論理と
をさらに備える、請求項５５に記載のワイヤレス通信システム。
【請求項５７】
前記少なくとも１つの報告が、前記少なくとも１つのアクセス端末が所与のマルチキャスト・グループから離脱されることを要求するかどうかを判断するように構成された論理と、
前記判断に基づいて、前記所与のマルチキャスト・グループに関連する前記グループメンバーリストから前記少なくとも１つのアクセス端末の記載を削除することによって、前記少なくとも１つのアクセス端末を前記所与のマルチキャスト・グループから離脱させるように構成された論理と
をさらに備える、請求項５５に記載のワイヤレス通信システム。
【請求項５８】
所与のマルチキャスト・グループ用のマルチキャスト・セッションを開始するように構成された論理と、
前記グループメンバーリストに基づいてセクタの初期クラスタをポピュレートするように構成された論理と、
セクタの初期クラスタ内の前記マルチキャスト・セッションをサポートするように構成された論理と
をさらに備える、請求項５５に記載のワイヤレス通信システム。
【請求項５９】
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末からアクセス・ネットワークに送信するための手段と、
前記アクセス端末の位置更新を前記アクセス・ネットワークに報告する方法である位置更新ルールを決定するための手段と、
前記決定された位置更新ルールに基づいて前記アクセス端末の位置更新を前記アクセス・ネットワークに報告するための手段であって、それにより所与のマルチキャスト・セッションが開始すると、前記アクセス・ネットワークが前記マルチキャスト・セッションのための前記グループメンバーがどこに位置するかに関する前記報告された情報を使用して前記マルチキャスト・セッションに必要な回数の送信を確立する、手段と
を備えるワイヤレス通信システム。
【請求項６０】
送信するための前記手段が、前記アクセス端末が前記少なくとも１つのマルチキャスト・グループに加入することを要求するために前記グループメンバー報告を送信する、請求項５９に記載のワイヤレス通信システム。
【請求項６１】
送信するための前記手段が、前記アクセス端末が前記少なくとも１つのマルチキャスト・グループから離脱することを要求するために前記グループメンバー報告を送信する、請求項５９に記載のワイヤレス通信システム。
【請求項６２】
前記位置更新ルールが、時間ベースおよび位置ベースのうちの少なくとも１つである、請求項５９に記載のワイヤレス通信システム。
【請求項６３】
報告するための前記手段が、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項６２に記載のワイヤレス通信システム。
【請求項６４】
前記アクセス端末用のグループメンバーシップ情報を変更すべきかどうかを判断するための手段と、
判断するための前記手段が前記アクセス端末用のグループメンバーシップ情報を変更することを決定した場合、補足グループメンバー報告を前記アクセス端末から前記アクセス・ネットワークに送信するための手段と
をさらに備える、請求項５９に記載のワイヤレス通信システム。
【請求項６５】
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末から受信するための手段と、
各々が前記アクセス端末の位置を示す少なくとも１つの位置更新報告を前記アクセス端末から受信するための手段と、
所与のマルチキャスト・セッションを開始するための手段とを備え、前記マルチキャスト・セッションのための前記グループメンバーがどこに位置するかに関する前記受信された情報を使用して、前記マルチキャスト・セッションに必要な回数の送信を確立する
ワイヤレス通信システム。
【請求項６６】
前記アクセス端末の位置更新を前記アクセス・ネットワークに報告する方法である位置更新ルールを決定するための手段と、
前記位置更新ルールを前記アクセス端末に送信するための手段と
をさらに備える、請求項６５に記載のワイヤレス通信システム。
【請求項６７】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループメンバーリストを、アクセス・ネットワークにおいて形成するための手段と、
前記アクセス端末からの（ｉ）前記受信された少なくとも１つの位置更新報告または（ｉｉ）１つまたは複数の補足グループメンバー報告に基づいて前記グループメンバーリストを更新するための手段と
をさらに備える、請求項６５に記載のワイヤレス通信システム。
【請求項６８】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループメンバーリストを、アクセス・ネットワークにおいて更新するための手段
をさらに備える、請求項６５に記載のワイヤレス通信システム。
【請求項６９】
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループメンバーリストを、アクセス・ネットワークにおいて形成するための手段と、
少なくとも１つのアクセス端末から送信された少なくとも１つの報告に基づいて前記グループメンバーリストを更新するための手段とを備え、所与のマルチキャスト・セッションが開始すると、前記アクセス・ネットワークが前記マルチキャスト・グループの前記記載されたアクセス端末に関連する前記位置を使用して、前記マルチキャスト・セッションに必要な回数の送信を確立する
ワイヤレス通信システム。
【請求項７０】
前記少なくとも１つの報告が、前記少なくとも１つのアクセス端末が所与のマルチキャスト・グループに追加されることを要求するかどうかを判断するための手段と、
前記判断に基づいて、前記少なくとも１つの報告によって示された位置と前記少なくとも１つの報告が送信された時間とともに含まれる、前記所与のマルチキャスト・グループに関連する前記グループメンバーリストに前記少なくとも１つのアクセス端末を記載することによって、前記少なくとも１つのアクセス端末を前記所与のマルチキャスト・グループに追加するための手段と
をさらに備える、請求項６９に記載のワイヤレス通信システム。
【請求項７１】
前記少なくとも１つの報告が、前記少なくとも１つのアクセス端末が所与のマルチキャスト・グループから離脱されることを要求するかどうかを判断するための手段と、
前記判断に基づいて、前記所与のマルチキャスト・グループに関連する前記グループメンバーリストから前記少なくとも１つのアクセス端末の記載を削除することによって、前記少なくとも１つのアクセス端末を前記所与のマルチキャスト・グループから離脱させるための手段と
をさらに備える、請求項６９に記載のワイヤレス通信システム。
【請求項７２】
所与のマルチキャスト・グループ用のマルチキャスト・セッションを開始するための手段と、
前記グループメンバーリストに基づいてセクタの初期クラスタをポピュレートするための手段と、
セクタの前記初期クラスタ内の前記マルチキャスト・セッションをサポートするための手段と
をさらに備える、請求項６９に記載のワイヤレス通信システム。
【請求項７３】
複数のセクタを含むワイヤレス通信システム内で動作するように構成され、その上に記憶されたプログラムコードを含むコンピュータ可読媒体であって、
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末からアクセス・ネットワークに送信するためのプログラムコードと、
前記アクセス端末の位置更新を前記アクセス・ネットワークに報告する方法である位置更新ルールを決定するためのプログラムコードと、
前記決定された位置更新ルールに基づいて前記アクセス端末の位置更新を前記アクセス・ネットワークに報告するためのプログラムコードであって、それにより所与のマルチキャスト・セッションが開始すると、前記アクセス・ネットワークが前記マルチキャスト・セッションのための前記グループメンバーがどこに位置するかに関する前記報告された情報を使用して前記マルチキャスト・セッションに必要な回数の送信を確立する、プログラムコードと
を備えるコンピュータ可読媒体。
【請求項７４】
送信するための前記プログラムコードが、前記アクセス端末が前記少なくとも１つのマルチキャスト・グループに加入することを要求するために前記グループメンバー報告を送信する、請求項７３に記載のコンピュータ可読媒体。
【請求項７５】
送信するための前記プログラムコードが、前記アクセス端末が前記少なくとも１つのマルチキャスト・グループから離脱することを要求するために前記グループメンバー報告を送信する、請求項７３に記載のコンピュータ可読媒体。
【請求項７６】
前記位置更新ルールが、時間ベースおよび位置ベースのうちの少なくとも１つである、請求項７３に記載のコンピュータ可読媒体。
【請求項７７】
報告するための前記プログラムコードが、
前記アクセス端末において所与の時間期間を有するタイマを開始し、
前記アクセス端末の現在位置を示す位置更新を前記アクセス・ネットワークに、前記タイマの所与の時間期間ごとに１回送信する
ように構成される、請求項７６に記載のコンピュータ可読媒体。
【請求項７８】
前記アクセス端末用のグループメンバーシップ情報を変更すべきかどうかを判断するためのプログラムコードと、
判断するための前記プログラムコードが、前記アクセス端末用のグループメンバーシップ情報を変更することを決定した場合、補足グループメンバー報告を前記アクセス端末から前記アクセス・ネットワークに送信するためのプログラムコードと
をさらに備える、請求項７３に記載のコンピュータ可読媒体。
【請求項７９】
複数のセクタを含むワイヤレス通信システム内で動作するように構成され、その上に記憶されたプログラムコードを含むコンピュータ可読媒体であって、
アクセス端末の位置と少なくとも１つのマルチキャスト・グループとを示すグループメンバー報告であって、前記マルチキャスト・グループに関連するマルチキャスト・セッションが開始される前に送信される前記グループメンバー報告を、前記アクセス端末から受信するためのプログラムコードと、
各々が前記アクセス端末の位置を示す少なくとも１つの位置更新報告を前記アクセス端末から受信するためのプログラムコードと、
所与のマルチキャスト・セッションを開始するためのプログラムコードとを備え、前記マルチキャスト・セッションのための前記グループメンバーがどこに位置するかに関する前記受信された情報を使用して、前記マルチキャスト・セッションに必要な回数の送信を確立する
コンピュータ可読媒体。
【請求項８０】
前記アクセス端末の位置更新を前記アクセス・ネットワークに報告する方法である位置更新ルールを決定するためのプログラムコードと、
前記位置更新ルールを前記アクセス端末に送信するためのプログラムコードと
をさらに備える、請求項７９に記載のコンピュータ可読媒体。
【請求項８１】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含むグループメンバーリストを、アクセス・ネットワークにおいて形成するためのプログラムコードと、
前記アクセス端末からの（ｉ）前記受信された少なくとも１つの位置更新報告または（ｉｉ）１つまたは複数の補足グループメンバー報告に基づいて前記グループメンバーリストを更新するためのプログラムコードと
をさらに備える、請求項７９に記載のコンピュータ可読媒体。
【請求項８２】
少なくとも前記受信されたグループメンバー報告に基づいて、アクセス端末のリストと、前記記載されたアクセス端末の各々に関連する少なくとも１つのマルチキャスト・グループと、前記記載されたアクセス端末の各々に関連する位置と、各位置が前記記載されたアクセス端末から前記アクセス・ネットワークに最後に報告された時間を示すタイムスタンプとを含む既存のグループメンバーリストを、アクセス・ネットワークにおいて更新するためのプログラムコード
をさらに備える、請求項７９に記載のコンピュータ可読媒体。
【請求項８３】
複数のセクタを含むワイヤレス通信システム内で動作するように構成され、その上に記憶されたプログラムコードを含むコンピュータ可読媒体であって、
アクセス端末のリストと、前記記載されたアクセス端末の各々に関連する少なくとも１つのマルチキャスト・グループと、前記記載されたアクセス端末の各々に関連する位置と、各位置が前記アクセス・ネットワークに最後に報告された時間を示すタイムスタンプとを含むグループメンバーリストを、アクセス・ネットワークにおいて形成するためのプログラムコードと、
少なくとも１つのアクセス端末から送信された少なくとも１つの報告に基づいて前記グループメンバーリストを更新するためのプログラムコードと、を備え、所与のマルチキャスト・セッションが開始すると、前記アクセス・ネットワークが前記マルチキャスト・グループの前記記載されたアクセス端末に関連する前記位置を使用して、前記マルチキャスト・セッションに必要な回数の送信を確立する
コンピュータ可読媒体。
【請求項８４】
前記少なくとも１つの報告が、前記少なくとも１つのアクセス端末が所与のマルチキャスト・グループに追加されることを要求するかどうかを判断するためのプログラムコードと、
前記判断に基づいて、前記少なくとも１つの報告によって示された位置と前記少なくとも１つの報告が送信された時間とともに含まれる、前記所与のマルチキャスト・グループに関連する前記グループメンバーリストに前記少なくとも１つのアクセス端末を記載することによって、前記少なくとも１つのアクセス端末を前記所与のマルチキャスト・グループに追加するためのプログラムコードと
をさらに備える、請求項８３に記載のコンピュータ可読媒体。
【請求項８５】
前記少なくとも１つの報告が、前記少なくとも１つのアクセス端末が所与のマルチキャスト・グループから離脱されることを要求するかどうかを判断するためのプログラムコードと、
前記判断に基づいて、前記所与のマルチキャスト・グループに関連する前記グループメンバーリストから前記少なくとも１つのアクセス端末の記載を削除することによって、前記少なくとも１つのアクセス端末を前記所与のマルチキャスト・グループから離脱させるためのプログラムコードと
をさらに備える、請求項８３に記載のコンピュータ可読媒体。
【請求項８６】
所与のマルチキャスト・グループ用のマルチキャスト・セッションを開始するためのプログラムコードと、
前記グループメンバーリストに基づいてセクタの初期クラスタをポピュレートするためのプログラムコードと、
セクタの前記初期クラスタ内の前記マルチキャスト・セッションをサポートするためのプログラムコードと
をさらに備える、請求項８３に記載のコンピュータ可読媒体。
【国際調査報告】
2011501894.tif 000014
2011501894.tif 000015
2011501894.tif 000016
2011501894.tif 000017